(57)【要約】【課題】施工コストを抑えて手軽に太陽電池パネルを設置することができる太陽電池パネル設置構造、太陽光発電設備、及び太陽電池パネル施工方法を提供する。【解決手段】太陽電池パネル設置構造において、太陽電池パネル１０が、パネル本体１０１と、金属枠１０２と、を備え、金属枠１０２には、陸屋根Ａ１１に向かって開口する支持孔１０２ａが少なくとも一対設けられており、各々が陸屋根Ａ１１に立設されて太陽電池パネル１０の金属枠１０２における支持孔１０２ａの近傍の支持領域１０２ｂを陸屋根Ａ１１の側から支持するとともに、支持孔１０２ａに挿入される突起部２３３ｂを各々が有した複数の支持金具２３と、複数の支持金具２３それぞれとの間に金属枠１０２を、太陽電池パネル１０の表裏方向から挟持するように各々が当該複数の支持金具２３それぞれに固定される複数の押え金具２５と、を備えた。【選択図】図９
2019004683.tif 000002
【特許請求の範囲】
【請求項１】
太陽電池パネルを所定の設置場所に設置するための太陽電池パネル設置構造であって、
前記太陽電池パネルが、平板状のパネル本体と、当該パネル本体の外周を保持する金属枠と、を備え、
前記金属枠には、前記設置場所に向かって開口する支持孔が、前記パネル本体の中央を通り当該パネル本体と平行に延在する仮想線を相互間に挟むように少なくとも一対設けられており、
各々が前記設置場所に立設されて前記太陽電池パネルの前記金属枠における前記支持孔の近傍の支持領域を前記設置場所の側から支持するとともに、前記支持孔に挿入される突起部を各々が有した複数の支持金具と、
前記複数の支持金具それぞれとの間に前記金属枠を、前記太陽電池パネルの表裏方向から挟持するように各々が当該複数の支持金具それぞれに固定される複数の押え金具と、
を備えたことを特徴とする太陽電池パネル設置構造。
【請求項２】
前記太陽電池パネルが前記設置場所に対し傾斜して設置されるものであり、
前記複数の支持金具は、前記太陽電池パネルにおける傾斜方向の高位側に設けられるもの程、前記設置場所からの高さが高いことを特徴とする請求項１に記載の太陽電池パネル設置構造。
【請求項３】
前記太陽電池パネルは、複数枚が隣り合って配列されるものであり、
前記複数の支持金具それぞれは、隣り合う２枚の前記太陽電池パネルの境界に配置されたときには、当該境界において隣り合って位置する２つの前記支持領域の両方を支持可能に形成されるとともに、各前記支持領域に対応する前記支持孔に各々が挿入されるように前記突起部が２つ設けられており、
前記複数の押え金具のうち前記境界に配置される境界用押え金具が、前記複数の支持金具のうち当該境界に配置されるものとの間に、当該境界を挟んで隣り合う２つの前記金属枠の両方を挟持するように形成されたものであることを特徴とする請求項１又は２に記載の太陽電池パネル設置構造。
【請求項４】
前記境界用押え金具は、当該境界を挟んで隣り合う２つの前記金属枠のそれぞれに接する部位に、各前記金属枠に向かって突出して食い込む突起が形成されており、当該突起の食い込みにより２つの前記金属枠を電気的に接続するものであることを特徴とする請求項３に記載の太陽電池パネル設置構造。
【請求項５】
前記設置場所が、平坦な領域であり、
前記複数の支持金具は、前記設置場所に当該複数の支持金具と一対一に設置された置き基礎に固定されるものであることを特徴とする請求項１〜４のうち何れか一項に記載の太陽電池パネル設置構造。
【請求項６】
前記設置場所に前記複数の支持金具と一対一に設置され、当該設置場所からの高さについて調節自在に構成された複数の設置台を更に備え、
前記複数の支持金具それぞれが、前記複数の設置台それぞれに固定されるものであることを特徴とする請求項１〜４のうち何れか一項に記載の太陽電池パネル設置構造。
【請求項７】
前記設置場所に前記複数の支持金具と一対一に立設された複数のアンカーボルトを更に備え、
前記複数の支持金具それぞれが、前記複数のアンカーボルトそれぞれに、前記設置場所からの高さについて調節自在に固定されるものであることを特徴とする請求項１〜４のうち何れか一項に記載の太陽電池パネル設置構造。
【請求項８】
前記設置場所に、前記支持孔の配列方向に延在するとともに、当該設置場所からの高さについて調節自在に設置された支持レールを更に備え、
前記複数の支持金具それぞれが、前記支持レールに固定されるものであることを特徴とする請求項１〜４のうち何れか一項に記載の太陽電池パネル設置構造。
【請求項９】
前記支持孔の配列方向に延在するように前記設置場所に固定設置される長基礎と、
前記長基礎に前記複数の支持金具と一対一に立設された複数の立設ボルトと、を更に備え、
前記複数の支持金具それぞれが、前記複数の立設ボルトそれぞれに、前記設置場所からの高さについて調節自在に固定されるものであることを特徴とする請求項１〜４のうち何れか一項に記載の太陽電池パネル設置構造。
【請求項１０】
前記設置場所が、平坦な領域であり、
前記複数の支持金具それぞれが、前記設置場所に直に固定されるものであることを特徴とする請求項１〜４のうち何れか一項に記載の太陽電池パネル設置構造。
【請求項１１】
平板状のパネル本体、及び、当該パネル本体の外周を保持する金属枠、を備える太陽電池パネルと、
前記太陽電池パネルを所定の設置場所に設置するための太陽電池パネル設置構造と、を備え、
前記金属枠には、前記設置場所に向かって開口する支持孔が、前記パネル本体の中央を通り当該パネル本体と平行に延在する仮想線を相互間に挟むように少なくとも一対設けられており、
前記太陽電池パネル設置構造が、
各々が前記設置場所に立設されて前記太陽電池パネルの前記金属枠における前記支持孔の近傍の支持領域を前記設置場所の側から支持するとともに、前記支持孔に挿入される突起部を各々が有した複数の支持金具と、
前記複数の支持金具それぞれとの間に前記金属枠を、前記太陽電池パネルの表裏方向から挟持するように各々が当該複数の支持金具それぞれに固定される複数の押え金具と、
を備えた構造であることを特徴とする太陽光発電設備。
【請求項１２】
太陽電池パネルを所定の設置場所に設置するための太陽電池パネル施工方法であって、
前記太陽電池パネルが、平板状のパネル本体と、当該パネル本体の外周を保持する金属枠と、を備え、
前記金属枠には、前記設置場所に向かって開口する支持孔が、前記パネル本体の中央を通り当該パネル本体と平行に延在する仮想線を相互間に挟むように少なくとも一対設けられており、
各々が前記金属枠における前記支持孔の近傍の支持領域を前記設置場所の側から支持するとともに、前記支持孔に挿入される突起部を各々が有した複数の支持金具を、前記設置場所に設置する支持金具設置工程と、
各々が前記複数の支持金具それぞれとの間に前記金属枠を、前記太陽電池パネルの表裏方向から挟持するように複数の押え金具を当該複数の支持金具それぞれに固定する押え金具設置工程と、を備え、
前記支持金具設置工程が、前記金属枠における前記支持孔に対する前記複数の支持金具それぞれの前記突起部の相対的な位置合わせを行いつつ、当該複数の支持金具を前記設置場所に設置する工程であることを特徴とする太陽電池パネル施工方法。
【請求項１３】
前記支持金具設置工程が、前記設置場所に仮置きした前記複数の支持金具それぞれの前記突起部の位置を、前記金属枠における前記支持孔を模擬した位置決め治具を用いて調節しつつ当該複数の支持金具を前記設置場所に設置する工程であり、
前記押え金具設置工程が、位置決めされた前記複数の支持金具それぞれの前記突起部が前記支持孔に挿入されるように、前記複数の支持金具に前記太陽電池パネルを載置し、その後に前記複数の押え金具を当該複数の支持金具に固定する工程であることを特徴とする請求項１２に記載の太陽電池パネル施工方法。
【請求項１４】
前記支持金具設置工程が、前記複数の支持金具のうちの少なくとも一部について、前記支持孔に前記突起部を挿入することで前記太陽電池パネルに対して仮組付けを行ない、当該太陽電池パネルと一緒に前記設置場所に設置することで、前記位置合わせを行いつつ、前記複数の支持金具を前記設置場所に設置する工程であり、
前記押え金具設置工程が、前記支持金具設置工程において設置済みの前記太陽電池パネルの前記金属枠を前記複数の支持金具それぞれとの間に挟持するように複数の押え金具を当該複数の支持金具それぞれに固定する工程であることを特徴とする請求項１２に記載の太陽電池パネル施工方法。
【発明の詳細な説明】
【技術分野】
【０００１】
本発明は、太陽電池パネルを所定の設置場所に設置するための太陽電池パネル設置構造、そのような太陽電池パネル設置構造を利用した太陽光発電設備、及び、太陽電池パネルを所定の設置場所に設置するための太陽電池パネル施工方法に関する。
【背景技術】
【０００２】
地球環境問題に対する関心の高まりを受けて、温室効果ガスの削減等に効果が期待される太陽光発電が注目されている。太陽光発電設備において太陽電池パネルを設置場所に設置する構造は以前より種々知られている。このような構造には、多くの場合、太陽電池パネルの支持に、設置場所に設置された太陽電池パネル設置構造が利用される（例えば、特許文献１参照。）。
【０００３】
一般的な太陽電池パネル設置構造としては、設置場所としての屋根や、屋外における太陽光発電設備の建設予定地等、にレール材で格子状に組まれた架台に載置された太陽電池パネルをボルト止め固定する構造等が挙げられる。
【先行技術文献】
【特許文献】
【０００４】
【特許文献１】特開２００８−２４４２１９号公報
【発明の概要】
【発明が解決しようとする課題】
【０００５】
ここで、上記のような架台を利用した太陽電池パネル設置構造は部品点数が多く、また施工にかかる手間も煩雑で、施工コストが高くなりがちである。このため、施工コストを抑えて手軽に太陽電池パネルを設置することができる太陽電池パネル設置構造の要望が高いのが現状である。
【０００６】
従って、本発明は、上記のような課題に着目し、施工コストを抑えて手軽に太陽電池パネルを設置することができる太陽電池パネル設置構造、太陽光発電設備、及び太陽電池パネル施工方法を提供することを目的とする。
【課題を解決するための手段】
【０００７】
上記課題を解決するために、本発明の太陽電池パネル設置構造は、太陽電池パネルを所定の設置場所に設置するための太陽電池パネル設置構造であって、前記太陽電池パネルが、平板状のパネル本体と、当該パネル本体の外周を保持する金属枠と、を備え、前記金属枠には、前記設置場所に向かって開口する支持孔が、前記パネル本体の中央を通り当該パネル本体と平行に延在する仮想線を相互間に挟むように少なくとも一対設けられており、各々が前記設置場所に立設されて前記太陽電池パネルの前記金属枠における前記支持孔の近傍の支持領域を前記設置場所の側から支持するとともに、前記支持孔に挿入される突起部を各々が有した複数の支持金具と、前記複数の支持金具それぞれとの間に前記金属枠を、前記太陽電池パネルの表裏方向から挟持するように各々が当該複数の支持金具それぞれに固定される複数の押え金具と、を備えたことを特徴とする。
【０００８】
ここで、本発明の太陽電池パネル設置構造において、前記太陽電池パネルが前記設置場所に対し傾斜して設置されるものであり、前記複数の支持金具は、前記太陽電池パネルにおける傾斜方向の高位側に設けられるもの程、前記設置場所からの高さが高いことが好適である。
【０００９】
また、本発明の太陽電池パネル設置構造において、前記太陽電池パネルは、複数枚が隣り合って配列されるものであり、前記複数の支持金具それぞれは、隣り合う２枚の前記太陽電池パネルの境界に配置されたときには、当該境界において隣り合って位置する２つの前記支持領域の両方を支持可能に形成されるとともに、各前記支持領域に対応する前記支持孔に各々が挿入されるように前記突起部が２つ設けられており、前記複数の押え金具のうち前記境界に配置される境界用押え金具が、前記複数の支持金具のうち当該境界に配置されるものとの間に、当該境界を挟んで隣り合う２つの前記金属枠の両方を挟持するように形成されたものであることも好適である。
【００１０】
また、この好適な太陽電池パネル設置構造において、前記境界用押え金具は、当該境界を挟んで隣り合う２つの前記金属枠のそれぞれに接する部位に、各前記金属枠に向かって突出して食い込む突起が形成されており、当該突起の食い込みにより２つの前記金属枠を電気的に接続するものであることは更に好適である。
【００１１】
また、本発明の太陽電池パネル設置構造において、前記設置場所が、平坦な領域であり、前記複数の支持金具は、前記設置場所に当該複数の支持金具と一対一に設置された置き基礎に固定されるものであることも好適である。
【００１２】
また、本発明の太陽電池パネル設置構造において、前記設置場所に前記複数の支持金具と一対一に設置され、当該設置場所からの高さについて調節自在に構成された複数の設置台を更に備え、前記複数の支持金具それぞれが、前記複数の設置台それぞれに固定されるものであることも好適である。
【００１３】
また、本発明の太陽電池パネル設置構造において、前記設置場所に前記複数の支持金具と一対一に立設された複数のアンカーボルトを更に備え、前記複数の支持金具それぞれが、前記複数のアンカーボルトそれぞれに、前記設置場所からの高さについて調節自在に固定されるものであることも好適である。
【００１４】
また、本発明の太陽電池パネル設置構造において、前記設置場所に、前記支持孔の配列方向に延在するとともに、当該設置場所からの高さについて調節自在に設置された支持レールを更に備え、前記複数の支持金具それぞれが、前記支持レールに固定されるものであることも好適である。
【００１５】
また、この好適な太陽電池パネル設置構造において、前記支持レールが、前記複数の支持金具の数よりも少ない本数のアンカーボルトを介して前記設置場所に設置されるものであることが更に好適である。
【００１６】
また、本発明の太陽電池パネル設置構造において、前記支持孔の配列方向に延在するように前記設置場所に固定設置される長基礎と、前記長基礎に前記複数の支持金具と一対一に立設された複数の立設ボルトと、を更に備え、前記複数の支持金具それぞれが、前記複数の立設ボルトそれぞれに、前記設置場所からの高さについて調節自在に固定されるものであることも好適である。
【００１７】
また、本発明の太陽電池パネル設置構造において、前記設置場所が、平坦な領域であり、前記複数の支持金具それぞれが、前記設置場所に直に固定されるものであることも好適である。
【００１８】
また、上記課題を解決するために、本発明の太陽光発電設備は、平板状のパネル本体、及び、当該パネル本体の外周を保持する金属枠、を備える太陽電池パネルと、前記太陽電池パネルを所定の設置場所に設置するための太陽電池パネル設置構造と、を備え、前記金属枠には、前記設置場所に向かって開口する支持孔が、前記パネル本体の中央を通り当該パネル本体と平行に延在する仮想線を相互間に挟むように少なくとも一対設けられており、前記太陽電池パネル設置構造が、各々が前記設置場所に立設されて前記太陽電池パネルの前記金属枠における前記支持孔の近傍の支持領域を前記設置場所の側から支持するとともに、前記支持孔に挿入される突起部を各々が有した複数の支持金具と、前記複数の支持金具それぞれとの間に前記金属枠を、前記太陽電池パネルの表裏方向から挟持するように各々が当該複数の支持金具それぞれに固定される複数の押え金具と、を備えた構造であることを特徴とする。
【００１９】
また、上記課題を解決するために、本発明の太陽電池パネル施工方法は、太陽電池パネルを所定の設置場所に設置するための太陽電池パネル施工方法であって、前記太陽電池パネルが、平板状のパネル本体と、当該パネル本体の外周を保持する金属枠と、を備え、前記金属枠には、前記設置場所に向かって開口する支持孔が、前記パネル本体の中央を通り当該パネル本体と平行に延在する仮想線を相互間に挟むように少なくとも一対設けられており、各々が前記金属枠における前記支持孔の近傍の支持領域を前記設置場所の側から支持するとともに、前記支持孔に挿入される突起部を各々が有した複数の支持金具を、前記設置場所に設置する支持金具設置工程と、各々が前記複数の支持金具それぞれとの間に前記金属枠を、前記太陽電池パネルの表裏方向から挟持するように複数の押え金具を当該複数の支持金具それぞれに固定する押え金具設置工程と、を備え、前記支持金具設置工程が、前記金属枠における前記支持孔に対する前記複数の支持金具それぞれの前記突起部の相対的な位置合わせを行いつつ、当該複数の支持金具を前記設置場所に設置する工程であることを特徴とする。
【００２０】
また、本発明の太陽電池パネル施工方法において、前記支持金具設置工程が、前記設置場所に仮置きした前記複数の支持金具それぞれの前記突起部の位置を、前記金属枠における前記支持孔を模擬した位置決め治具を用いて調節しつつ当該複数の支持金具を前記設置場所に設置する工程であり、前記押え金具設置工程が、位置決めされた前記複数の支持金具それぞれの前記突起部が前記支持孔に挿入されるように、前記複数の支持金具に前記太陽電池パネルを載置し、その後に前記複数の押え金具を当該複数の支持金具に固定する工程であることが好適である。
【００２１】
また、本発明の太陽電池パネル施工方法において、前記支持金具設置工程が、前記複数の支持金具のうちの少なくとも一部について、前記支持孔に前記突起部を挿入することで前記太陽電池パネルに対して仮組付けを行ない、当該太陽電池パネルと一緒に前記設置場所に設置することで、前記位置合わせを行いつつ、前記複数の支持金具を前記設置場所に設置する工程であり、前記押え金具設置工程が、前記支持金具設置工程において設置済みの前記太陽電池パネルの前記金属枠を前記複数の支持金具それぞれとの間に挟持するように複数の押え金具を当該複数の支持金具それぞれに固定する工程であることも好適である。
【発明の効果】
【００２２】
本発明の太陽電池パネル設置構造では、上記の支持孔に各々の突起部が挿入された複数の支持金具により、太陽電池パネルが、その面内方向の動きが抑えられて支持される。更に、各支持金具との間に太陽電池パネルの金属枠を挟持する押え金具を設けることにより、太陽電池パネルは、その面外方向の動きも抑えられた状態で固定されることとなる。このように、本発明の太陽電池パネル設置構造によれば、突起部を有する支持金具、及び押え金具、という非常にシンプルな部品構成により太陽電池パネルを設置することができる。また、支持金具や押え金具は、太陽電池パネルの金属枠における各支持孔の近傍の支持領域について限定的な支持を行うものである。即ち、支持金具や押え金具は、部品としてのサイズが抑えられた小型の金具であり、このため、設置現場への持ち運び等を含めて非常に取り扱い易いものとなっている。このように本発明の太陽電池パネル設置構造によれば、部品構成がシンプルで、各部品が取り扱い易いものであることから、施工コストを抑えて手軽に太陽電池パネルを設置することができる。
【００２３】
また、本発明の太陽光発電設備では、設備を構成する太陽電池パネル設置構造として、上述した本発明の太陽電池パネル設置構造が採用されているので、施工コストを抑えて手軽に太陽電池パネルを設置することができる。
【００２４】
また、本発明の太陽電池パネル施工方法では、上述した本発明の太陽電池パネル設置構造が用いられて太陽電池パネルが設置されるので、施工コストを抑えて手軽に太陽電池パネルを設置することができる。また、支持金具設置工程の段階で、金属枠における支持孔に対する複数の支持金具それぞれの突起部の相対的な位置合わせが行われるので、太陽電池パネルの設置が効率的に行われる。本発明の太陽電池パネル施工方法によれば、この点においても、施工コストを抑えて手軽に太陽電池パネルを設置することができる。
【図面の簡単な説明】
【００２５】
【図１】本発明の第１実施形態にかかる太陽光発電設備を示す図である。
【図２】図１に示されている太陽光発電接部における太陽電池パネル設置構造を示す分解斜視図である。
【図３】図１及び図２に示されている置き基礎が陸屋根に設けられる様子を示す分解斜視図である。
【図４】図１及び図２に示されている太陽電池パネルの、受光面の側から見た上面図、側面図、及び受光面に対する裏側から見た裏面図である。
【図５】図１及び図２に示されている低支持金具を示す三面図である。
【図６】図１及び図２に示されている高支持金具を示す三面図である。
【図７】図１及び図２に示されている境界用押え金具を示す三面図である。
【図８】図１及び図２に示されている端部押え金具を示す三面図である。
【図９】境界用押え金具と低支持金具や高支持金具との間に２枚の太陽電池パネルそれぞれの金属枠が、太陽電池パネルの表裏方向から挟持される様子を、境界用押え金具と低支持金具との組合せを例に挙げて示す図である。
【図１０】端部押え金具と低支持金具や高支持金具との間に１枚の太陽電池パネルの金属枠が、太陽電池パネルの表裏方向から挟持される様子を、端部押え金具と低支持金具との組合せを例に挙げて示す図である。
【図１１】本実施形態の太陽電池パネル施工方法における支持金具設置工程を示す模式図である。
【図１２】図１１に示されている第１治具を示す図である。
【図１３】図１１に示されている第２治具を示す図である。
【図１４】図１３に示されている支持金具設置工程に続いて行なわれる押え金具設置工程において、太陽電池パネルが低支持金具及び高支持金具に載置される様子を示す模式図である。
【図１５】別例の位置決め治具を示す三面図である。
【図１６】図１５に示されている別例の位置決め治具が畳まれた状態で作業現場まで運ばれ、作業現場で展開される様子を示す図である。
【図１７】図１５及び図１６に示されている別例の位置決め治具を用いて、低支持金具や高支持金具における突起部の位置及び姿勢が調節される様子を示す図である。
【図１８】別例の太陽電池パネル施工方法における支持金具設置工程を示す模式図である。
【図１９】図１８に示されている支持金具設置工程のステップＳ２３において、一組の低支持金具及び高支持金具が、太陽電池パネルと一緒に設置される様子を示す模式図である。
【図２０】低支持金具や高支持金具について行なわれる高さ調節について、高支持金具を例に挙げて説明する模式図である。
【図２１】図２０に示されているスペーサを示す三面図である。
【図２２】本発明の第２実施形態にかかる太陽電池パネル設置構造を示す図である。
【図２３】図２２に示されている設置台及び、その周辺構造の拡大図である。
【図２４】本発明の第３実施形態にかかる太陽電池パネル設置構造を示す図である。
【図２５】図２４に示されているアンカーボルト、及び、その周辺構造の拡大図である。
【図２６】本発明の第４実施形態にかかる太陽電池パネル設置構造を示す図である。
【図２７】図２６に示されている太陽電池パネル設置構造を、図中の矢印Ｖ８０１方向から見た図である。
【図２８】図２６及び図２７に示されているアンカーボルト及び固定ボルトと、それぞの周辺構造の拡大図である。
【図２９】本発明の第５実施形態にかかる太陽電池パネル設置構造を示す図である。
【図３０】図２９に示されているアンカーボルト及び、その周辺構造の拡大図である。
【図３１】本発明の第６実施形態にかかる太陽電池パネル設置構造を示す図である。
【図３２】図３１に示されている太陽電池パネル設置構造を、図中の矢印Ｖ９０１方向から見た図である。
【図３３】図３１に示されている太陽電池パネル設置構造を、図中の矢印Ｖ９０２方向から見た図である。
【図３４】図３３に示されている立設ボルト、及び、その周辺構造の拡大図である。
【図３５】図３１〜図３３に示されている低支持金具を示す三面図である。
【図３６】図３１〜図３４に示されている高支持金具を示す三面図である。
【図３７】本発明の第７実施形態にかかる太陽電池パネル設置構造を示す図である。
【図３８】図３７に示されている２種類の支持金具について、低支持金具を例に挙げて説明するための斜視図である。
【発明を実施するための形態】
【００２６】
本発明の太陽電池パネル設置構造、太陽光発電設備、及び太陽電池パネル設置方法の一実施形態について、以下、図面を参照して説明する。
【００２７】
＜第１実施形態＞
図１は、本発明の第１実施形態にかかる太陽光発電設備を示す図であり、図２は、図１に示されている太陽光発電接部における太陽電池パネル設置構造を示す分解斜視図である。
【００２８】
本実施形態の太陽光発電設備１は、複数枚の太陽電池パネル１０が隣り合って配列されたアレイ構造の設備である。この太陽光発電設備１は、設置場所として、平坦屋根の一種である陸屋根Ａ１１に設けられている。本実施形態では、陸屋根Ａ１１に配列されたコンクリート製の置き基礎２１を含む太陽電池パネル設置構造２０によって、複数枚の太陽電池パネル１０が設置されている。
【００２９】
図３は、図１及び図２に示されている置き基礎が陸屋根に設けられる様子を示す分解斜視図である。
【００３０】
この図３に示されているように、置き基礎２１は、コンクリート製の矩形ブロックであり、陸屋根Ａ１１との間に短冊状のブチルゴムシート２２を一対挟んで載置される。置き基礎２１は、ブチルゴムシート２２の粘着性と、置き基礎２１の自重により、陸屋根Ａ１１に不動設置される。この置き基礎２１における上面中央には、太陽電池パネル１０の設置に利用されるアンカーボルト２１１が、その一端が埋設された状態で取り付けられている。
【００３１】
各太陽電池パネル１０は、長方形状を有しており、その長辺に沿った配列方向Ｄ１１について、設置場所としての陸屋根Ａ１１に対して傾斜して設置されている。また、図１に示されているように、この配列方向Ｄ１１について、傾斜の向きが交互に替わっている。即ち、図１中の左側から、左下がり、右下がり、そして左下がり、という傾斜の向きとなって、各太陽電池パネル１０の長辺を見る側面視で複数枚の太陽電池パネル１０が波形を形成するように配列されている。
【００３２】
図４は、図１及び図２に示されている太陽電池パネルの、受光面の側から見た上面図、側面図、及び受光面に対する裏側から見た裏面図である。
【００３３】
太陽電池パネル１０は、複数の太陽電池セル１０１ａが配列されてなる長方形板状のパネル本体１０１を備えている。パネル本体１０１の裏面には、このパネル本体１０１からの出力電力を伝送する電力ケーブル１０１ｂが取り付けられている。
【００３４】
また、太陽電池パネル１０は、パネル本体１０１の外周を保持する長方形状の金属枠１０２を備えている。太陽電池パネル１０の支持は、この金属枠１０２を介して行われる。金属枠１０２における裏面側には、設置場所としての陸屋根Ａ１１に向かって開口する支持孔１０２ａが設けられている。この支持孔１０２ａは、パネル本体１０１の中央を通りパネル本体１０１と平行に延在する２本の仮想線１０１ｃ，１０１ｄの何れかを相互間に挟むように一対ずつ、合計で４つ設けられている。各支持孔１０２ａは、金属枠１０２に沿って延びた長孔となっている。
【００３５】
この太陽電池パネル１０は、金属枠１０２における各支持孔１０２ａの近傍の支持領域１０２ｂが以下に説明するように支持される。
【００３６】
図１及び図２に示されている太陽光発電設備１では、複数枚の太陽電池パネル１０が次のような太陽電池パネル設置構造２０によって陸屋根Ａ１１に設置されている。
【００３７】
この太陽電池パネル設置構造２０は、上述した置き基礎２１と、ブチルゴムシート２２と、金属枠１０２の上述した支持領域１０２ｂを支持する支持金具としての低支持金具２３及び高支持金具２４と、境界用押え金具２５と、端部押え金具２６と、を備えている。
【００３８】
図５は、図１及び図２に示されている低支持金具を示す三面図であり、図６は、図１及び図２に示されている高支持金具を示す三面図である。
【００３９】
低支持金具２３及び高支持金具２４は、何れも置き基礎２１を介して陸屋根Ａ１１に立設される。低支持金具２３は、太陽電池パネル１０の傾斜方向の低位側に位置する置き基礎２１に、その置き基礎２１のアンカーボルト２１１を介して１つずつ固定される。また、高支持金具２４は、太陽電池パネル１０の傾斜方向の高位側に位置する置き基礎２１に、その置き基礎２１のアンカーボルト２１１を介して１つずつ固定される。高支持金具２４の高さＨ２は、低支持金具２３の高さＨ１よりも高くなっている。つまり、本実施形態では、複数の支持金具（低支持金具２３及び高支持金具２４）は、傾斜方向の高位側に設けられるもの程、陸屋根Ａ１１からの高さが高くなるように構成され、これにより、太陽電池パネル１０の傾斜支持が実現されている。
【００４０】
低支持金具２３は、載置板部２３１と、立板部２３２と、支持板部２３３と、を備え、側面視で略Ｚ字型に形成された板金部材である。載置板部２３１は、置き基礎２１に載置される部位であり、その略中央にアンカーボルト２１１が通る貫通孔２３１ａが設けられている。立板部２３２は、載置板部２３１の一端縁から垂直に折り曲げられて立ち上がった部位であり、その両側端縁が載置板部２３１の側へと直角に折り曲げられて一対の補強リブ２３２ａが形成されている。各補強リブ２３２ａには、この低支持金具２３を他部品と電気的に接続するためのケーブル等の取付けに利用される取付け孔２３２ａ−１が形成されている。支持板部２３３は、立板部２３２の上端縁から太陽電池パネル１０の傾斜角度に応じた昇り勾配の曲げ角で折り曲げられた部位である。
【００４１】
低支持金具２３は、支持板部２３３が太陽電池パネル１０の金属枠１０２における低位側に位置する支持領域１０２ｂに宛がわれて陸屋根Ａ１１の側から支持する。ここで、支持板部２３３における、立板部２３２と交差する一対の側縁それぞれに凹部２３３ａが設けられるとともに、各凹部２３３ａの底から、上方へと帯状に延出するように折り曲げられた部位が突起部２３３ｂを構成している。この突起部２３３ｂは、支持板部２３３が支持する支持領域１０２ｂに対応する支持孔１０２ａに挿入される部位である。ここで、図２に示されているように、本実施形態では、低支持金具２３が、隣り合う２枚の太陽電池パネル１０の境界に配置されたときに、この境界において隣り合って位置する２つの支持領域１０２ｂを支持可能な大きさに支持板部２３３が形成されている。そして、各支持領域１０２ｂに対応する支持孔１０２ａに各々が挿入されるように突起部２３３ｂが２つ設けられている。また、支持板部２３３の中央には、後述するように境界用押え金具２５や端部押え金具２６をボルト止め固定するためのボルト穴２３３ｃが設けられている。
【００４２】
高支持金具２４は、その高さＨ２以外は、上記の低支持金具２３と略同様の形状を有しており、載置板部２４１と、立板部２４２と、支持板部２４３と、を備え、側面視で略Ｚ字型に形成された板金部材である。載置板部２４１は、置き基礎２１に載置され、略中央に貫通孔２４１ａが設けられている。立板部２４２は、載置板部２４１の一端縁から垂直に折り曲げられて立ち上がった部位であり、その両側端縁に一対の補強リブ２４２ａが形成されている。各補強リブ２４２ａには、この高支持金具２４を他部品と電気的に接続するためのケーブル等の取付けに利用される取付け孔２４２ａ−１が形成されている。支持板部２４３は、立板部２４２の上端縁から太陽電池パネル１０の傾斜角度に応じた下り勾配の曲げ角で折り曲げられた部位である。
【００４３】
高支持金具２４は、支持板部２４３が太陽電池パネル１０の金属枠１０２における高位側に位置する支持領域１０２ｂに宛がわれて陸屋根Ａ１１の側から支持する。また、支持板部２４３における一対の側縁それぞれの凹部２４３ａの底から、上方へと帯状に延出するように折り曲げられた部位が突起部２４３ｂを構成している。この突起部２４３ｂは、支持板部２４３が支持する支持領域１０２ｂに対応する支持孔１０２ａに挿入される部位である。高支持金具２４についても、低支持金具２３と同様、隣り合う２枚の太陽電池パネル１０の境界に配置されたときに、この境界において隣り合って位置する２つの支持領域１０２ｂを支持可能な大きさに支持板部２４３が形成されている。そして、各支持領域１０２ｂに対応する支持孔１０２ａに各々が挿入されるように突起部２４３ｂが２つ設けられている。また、支持板部２４３の中央には、後述するように境界用押え金具２５や端部押え金具２６をボルト止め固定するためのボルト穴２４３ｃが設けられている。
【００４４】
図７は、図１及び図２に示されている境界用押え金具を示す三面図であり、図８は、図１及び図２に示されている端部押え金具を示す三面図である。
【００４５】
境界用押え金具２５や端部押え金具２６は、何れも、低支持金具２３や高支持金具２４との間に、太陽電池パネル１０の金属枠１０２を、太陽電池パネル１０の表裏方向から挟持するように各々が低支持金具２３や高支持金具２４にボルト止め固定される。
【００４６】
境界用押え金具２５は、図１や図２に示されているように隣り合う２枚の太陽電池パネル１０の境界に配置される。そして、この境界に配置される低支持金具２３や高支持金具２４との間に、この境界を挟んで隣り合う２つの金属枠１０２の両方を挟持するように形成されている。この境界用押え金具２５は、図７に示されているように、概ね長方形板状の部材である。そして、境界用押え金具２５は、一対の短辺それぞれの中央から、境界における２つの金属枠１０２の相互間に挿入されるように、一対の挿入突起２５１が直角に折り曲げられて形成された板金部材である。これら一対の挿入突起２５１を挟んで位置する一対の長辺それぞれの側に位置する一対の帯状領域２５２が、低支持金具２３や高支持金具２４との間に、太陽電池パネル１０の金属枠１０２を、太陽電池パネル１０の表裏方向から挟持する部位となっている。そして、これら一対の帯状領域２５２の相互間に位置する、この境界用押え金具２５の略中央に、この境界用押え金具２５を低支持金具２３や高支持金具２４に固定するためのボルトが貫通する貫通孔２５３が設けられている。また、一対の帯状領域２５２それぞれには、バーリング加工によって形成されたバーリング孔２５２ａが設けられている。ここでのバーリング加工は、金属枠１０２と対向する裏面側へと突き抜けるように行われる。各バーリング孔２５２ａにおける裏面側の縁には、バーリング加工による返りがバリ２５２ａ−１となって形成されている。
【００４７】
図９は、境界用押え金具と低支持金具や高支持金具との間に２枚の太陽電池パネルそれぞれの金属枠が、太陽電池パネルの表裏方向から挟持される様子を、境界用押え金具と低支持金具との組合せを例に挙げて示す図である。
【００４８】
この図９に示されているように、まず、低支持金具２３は置き基礎２１に次のように固定されている。置き基礎２１のアンカーボルト２１１は、低支持金具２３の載置板部２３１に設けられた貫通孔２３１ａ（図５参照。）に通され、その先端側に平ワッシャ２１２を介してナット２１３が締結されている。このナット２１３の締結により、低支持金具２３が置き基礎２１に固定される。
【００４９】
そして、２枚の太陽電池パネル１０それぞれの金属枠１０２の裏面側における支持孔１０２ａの近傍の支持領域１０２ｂが、上記の低支持金具２３の支持板部２３３に載置される。このときに、支持板部２３３から上方に突出している一対の突起部２３３ｂそれぞれが、各金属枠１０２の支持孔１０２ａに挿入される。本実施形態では、支持孔１０２ａが長孔に形成されており、ある程度の幅を有する帯板状の突起部２３３ｂが、多少の位置ズレを許容しつつ余裕をもって挿入可能となっている。
【００５０】
このように、載置された２枚の太陽電池パネル１０それぞれの金属枠１０２の境界に、上方から境界用押え金具２５が被せられる。このとき、２つの金属枠１０２の間隙に、挿入突起２５１が差入れられる。そして、固定用のボルト２５４が、平ワッシャ２５５とバネワッシャ２５６を介して境界用押え金具２５の貫通孔２５３（図７参照。）に通されて、低支持金具２３の支持板部２３３に設けられたボルト穴２３３ｃ（図５参照。）に捩じ込まれて締結される。この締結により、２つの金属枠１０２が、境界用押え金具２５における一対の帯状領域２５２と支持板部２３３との間に、太陽電池パネル１０の表裏方向から挟持される。
【００５１】
ここで、本実施形態では、上述したように、境界用押え金具２５における各金属枠１０２に接する一対の帯状領域２５２それぞれに、各金属枠１０２に向かってバリ２５２ａ−１が突出するようにバーリング孔２５２ａが形成されている。上記のようにボルト２５４が締結されると、その締結力を受けてバリ２５２ａ−１が各金属枠１０２の表面に食い込む。この食い込みにより、２つの金属枠１０２が境界用押え金具２５を介して電気的に接続されることとなる。また、境界用押え金具２５は、ボルト２５４等を介して低支持金具２３にも電気的に接続される。尚、バリ２５２ａ−１の突出量については、バーリング加工の際に適宜に調整してもよく、あるいは、特に調整は加えずにバーリング加工によって生じた返りの突出量をそのまま生かすこととしてもよい。また、金属枠１０２に向かって突出してその表面に食い込むものであれば、上記の突起は、本実施形態のようにバーリング加工時のバリに限るものではなく、境界用押え金具２５における縁のせん断加工等によって形成されるバリでもよい。あるいは、別途に加工して電気的な接続のための突起を形成してもよい。
【００５２】
ここで、バリ２５２ａ−１等の突起を金属枠１０２の表面に食い込ませるという、２つの太陽電池パネル１０の金属枠１０２の電気的な接続手法は、本発明にいう太陽電池パネル設置構造への適用に限るものではない。このような接続手法は、隣り合った金属構造物の電気的な接続一般に適用可能である。
【００５３】
他方、図８に示されている端部押え金具２６は、太陽電池パネル１０における、図１や図２に示されているように隣り合うものがない端部に配置される。そして、この端部に配置される低支持金具２３や高支持金具２４との間に２つの金属枠１０２を挟持するように形成されている。この端部押え金具２６は、金属枠１０２の上面に掛かる上面部分２６１と、上面部分２６１の端縁で折り曲げられ、金属枠１０２の側面に沿って低支持金具２３や高支持金具２４に向かって垂下する側面部分２６２と有する、側面視で概ねＬ字状の板金部材である。側面部分２６２の両側端縁に一対の補強リブ２６２ａが形成され、上面部分２６１の両側端縁における側面部分２６２の側の一部にも一対の補強リブ２６１ａが形成されている。上面部分２６１において両側端縁に補強リブ２６１ａが形成されていない先端縁側の帯状領域２６１ｂが、低支持金具２３や高支持金具２４との間に金属枠１０２を挟持する。また、上面部分２６１の略中央には、この境界用押え金具２５を低支持金具２３や高支持金具２４に固定するためのボルトが貫通する貫通孔２６１ｃが設けられている。また、帯状領域２６１ｂにおける２箇所の角には面取り２６１ｂ−１が形成されている。各面取り２６１ｂ−１は各角に対するせん断加工によって形成されるが、このせん断加工により、各面取り２６１ｂ−１の両角部には、金属枠１０２に向かって突出するバリ２６１ｂ−２が形成されている。
【００５４】
図１０は、端部押え金具と低支持金具や高支持金具との間に１枚の太陽電池パネルの金属枠が、太陽電池パネルの表裏方向から挟持される様子を、端部押え金具と低支持金具との組合せを例に挙げて示す図である。
【００５５】
上述したように、低支持金具２３の載置板部２３１の貫通孔２３１ａ（図５参照。）を通ったアンカーボルト２１１に、平ワッシャ２１２を介してナット２１３が締結されることで、低支持金具２３が置き基礎２１に固定される。
【００５６】
そして、１枚の太陽電池パネル１０の金属枠１０２の裏面側における支持孔１０２ａの近傍の支持領域１０２ｂが、上記の低支持金具２３の支持板部２３３に載置される。このときに、支持板部２３３から上方に突出している一対の突起部２３３ｂのうちの一方が支持孔１０２ａに挿入される。上述したように、支持孔１０２ａは長孔に形成されており、突起部２３３ｂが、多少の位置ズレを許容しつつ余裕をもって挿入可能となっている。もう一方の突起部２３３ｂは、外部に露出した状態となる。
【００５７】
このように、載置された１枚の太陽電池パネル１０の金属枠１０２の端部に、上方から端部押え金具２６が被せられる。端部押え金具２６は、上面部分２６１の先端縁側の帯状領域２６１ｂが金属枠１０２の端部に掛かるように被せられる。そして、固定用のボルト２６３が、平ワッシャ２６４とバネワッシャ２６５を介して端部押え金具２６の貫通孔２６１ｃ（図８参照。）に通されて、低支持金具２３の支持板部２３３に設けられたボルト穴２３３ｃ（図５参照。）に捩じ込まれて締結される。この締結により、金属枠１０２が、端部押え金具２６の帯状領域２６１ｂと支持板部２３３との間に、太陽電池パネル１０の表裏方向から挟持される。
【００５８】
ここで、本実施形態では、上述したように、端部押え金具２６における金属枠１０２に接する面取り２６１ｂ−１の端縁に、金属枠１０２に向かって突出するようにバリ２６１ｂ−１が形成されている。上記のようにボルト２６３が締結されると、その締結力を受けてバリ２６１ｂ−１が金属枠１０２の表面に食い込む。この食い込みにより、端部押え金具２６と金属枠１０２とが電気的に接続される。また、端部押え金具２６は、ボルト２６３等を介して低支持金具２３にも電気的に接続される。尚、バリ２６１ｂ−１の突出量については、面取り２６１ｂ−１のせん断加工の際に適宜に調整してもよく、あるいは、特に調整は加えずにせん断加工によって生じた返りの突出量をそのまま生かすこととしてもよい。また、この端部押え金具２６におけるバリは、面取り２６１ｂ−１のせん断加工によって形成されるものに限るものではない。この端部押え金具２６についても、上述した境界用押え金具２５と同様にバーリング孔を形成し、その形成のためのバーリング加工によって生じる返りとしてのバリを、上記のような電気的な接続に利用することとしてもよい。あるいは、別途に加工して電気的な接続のための突起を形成してもよい。
【００５９】
以上に説明した本実施形態の太陽電池パネル設置構造２０では、上記の支持孔１０２ａに各々の突起部２３３ｂ，２４３ｂが挿入された複数の低支持金具２３や高支持金具２４により、太陽電池パネル１０が、その面内方向の動きが抑えられて支持される。更に、各低支持金具２３や各高支持金具２４との間に太陽電池パネル１０の金属枠１０２を挟持する境界用押え金具２５や端部押え金具２６を設けることにより、太陽電池パネル１０は、その面外方向の動きも抑えられた状態で固定されることとなる。このように、太陽電池パネル設置構造２０によれば、突起部２３３ｂ，２４３ｂを有する低支持金具２３や高支持金具２４、及び境界用押え金具２５や端部押え金具２６、という非常にシンプルな部品構成により太陽電池パネル１０を設置することができる。また、低支持金具２３や高支持金具２４、及び境界用押え金具２５や端部押え金具２６は、太陽電池パネル１０の金属枠１０２における各支持孔１０２ａの近傍の支持領域１０２ｂについて限定的な支持を行うものである。即ち、これらの金具は、部品としてのサイズが抑えられた小型の金具であり、このため、設置現場への持ち運び等を含めて非常に取り扱い易いものとなっている。このように本実施形態の太陽電池パネル設置構造２０によれば、部品構成がシンプルで、各部品が取り扱い易いものであることから、施工コストを抑えて手軽に太陽電池パネル１０を設置することができる。
【００６０】
また、本実施形態の太陽電池パネル設置構造２０では、上記の低支持金具２３や高支持金具２４、及び境界用押え金具２５や端部押え金具２６、によるシンプルな部品構成を生かしながら、太陽電池パネル１０の傾斜設置を容易に実現することができる。
【００６１】
また、本実施形態の太陽電池パネル設置構造２０によれば、上記の境界については、低支持金具２３や高支持金具２４と境界用押え金具２５とにより、隣り合う２枚の太陽電池パネル１０をまとめて支持することができる。これにより、部品点数を抑えてコストの増加を抑制しつつ、複数枚の太陽電池パネル１０が配列されたアレイ構造を実現することができる。
【００６２】
また、本実施形態の太陽電池パネル設置構造２０によれば、バーリング孔２５２ａのバリ２５２ａ−１が金属枠１０２に食い込む境界用押え金具２５を介して、隣り合う２枚の太陽電池パネル１０の金属枠１０２どうしが電気的に接続される。これにより、本実施形態では、図１において太陽電池パネル１０の短辺に沿った配列方向Ｄ１２について、１列ずつ各３枚の太陽電池パネル１０の金属枠１０２どうしが電気的に接続される。本実施形態では、各列の３枚の太陽電池パネル１０のうちの何れか１枚の太陽電池パネル１０の金属枠１０２を接地することにより、それら３枚の太陽電池パネル１０をまとめて接地することができる。
【００６３】
ここで、本実施形態では、境界用押え金具２５はボルト２５４等を介して低支持金具２３や高支持金具２４にも電気的に接続されている。更に、配列端に位置する太陽電池パネル１０の金属枠１０２が、面取り２６１ｂ−１のバリ２６１ｂ−２を介して端部押え金具２６に電気的に接続され、この端部押え金具２６がボルト２６３等を介して低支持金具２３や高支持金具２４に電気的に接続されている。つまり、本実施形態では、１列の太陽電池パネル１０の並びにおいて、低支持金具２３や高支持金具２４、端部押え金具２６、金属枠１０２、境界用押え金具２５、低支持金具２３や高支持金具２４及び隣の金属枠１０２、というように連続して電気的に接続される。そして、この並びの端部では、金属枠１０２、端部押え金具２６、低支持金具２３や高支持金具２４というように電気的に接続される。
【００６４】
そして、本実施形態では、太陽光発電設備１の全体の接地が次のように行われる。まず、各列の端部に位置する低支持金具２３や高支持金具２４の補強リブ２３２ａ，２４２ａの取付け孔２３２ａ−１，２４２ａ−１（図５及び図６参照。）が、図１中の配列方向Ｄ１１に隣り合う配列どうしの間でケーブル接続される。このケーブル接続により、太陽光発電設備１における太陽電池パネル１０の金属枠１０２、低支持金具２３、高支持金具２４、境界用押え金具２５、及び端部押え金具２６といった各種金属部品が、全体として一まとめに電気的に接続された状態となる。更に、図１に示されている二次元配列の角のようにアクセスし易い位置の低支持金具２３や高支持金具２４の取付け孔２３２ａ−１，２４２ａ−１から建物や大地にアース線を介して接地される。
【００６５】
また、本実施形態では、太陽電池パネル１０の設置場所が、平坦な領域としての陸屋根Ａ１１である。そして、低支持金具２３や高支持金具２４は、陸屋根Ａ１１に低支持金具２３や高支持金具２４と一対一に設置された置き基礎２１に固定される。これにより、複数の低支持金具２３や複数の高支持金具２４それ自体についても、置き基礎２１を用いたシンプルな設置構造が採用されていることから、施工コストを一層抑えることができる。
【００６６】
図１や図２に示されている本実施形態の太陽光発電設備１では、設備を構成する太陽電池パネル設置構造として、上述した本実施形態の太陽電池パネル設置構造２０が採用されているので、施工コストを抑えて手軽に太陽電池パネル１０を設置することができる。
【００６７】
次に、上述した本実施形態の太陽電池パネル設置構造２０を利用して、太陽電池パネル１０を陸屋根Ａ１１に設置して太陽光発電設備１を構成するための太陽電池パネル施工方法について説明する。
【００６８】
本実施形態の太陽電池パネル施工方法は、支持金具設置工程と、押え金具設置工程と、を備えている。
【００６９】
図１１は、本実施形態の太陽電池パネル施工方法における支持金具設置工程を示す模式図である。この図１１では、説明の簡単化のために、１枚の太陽電池パネル１０の設置を例に挙げて、この太陽電池パネル１０を支持する２つの低支持金具２３と２つの高支持金具２４を４つの置き基礎２１に設置する手順が示されている。
【００７０】
まず、ステップＳ１１において、太陽光発電設備１の設計寸法に基づいて、陸屋根Ａ１１における置き基礎２１の設置位置の位置決めが行われ、決められた各位置に置き基礎２１が、陸屋根Ａ１１との間にブチルゴムシート２２（図３参照。）を挟んで設置される。更に、このステップＳ１１では、設置された複数の置き基礎２１に対し、太陽光発電設備１の設計寸法に基づいて、各置き基礎２１におけるアンカーボルト２１１の設置位置の位置決めが行われる。決められた各位置にアンカーボルト２１１の設置孔が穿たれてアンカーボルト２１１が捩じ込まれる。以上のステップＳ１１により、低支持金具２３及び高支持金具２４を設置するためのベースが完成する。
【００７１】
尚、アンカーボルトについては、本実施形態のように設置孔への捩じ込みによって取り付けられるアンカーボルト２１１に限るものではない。アンカーボルトは、本実施形態とは異なり、設置孔に充填される接着剤によって固定されるいわゆるケミカルアンカー等であってもよい。
【００７２】
次のステップＳ１２において、２つの低支持金具２３と２つの高支持金具２４が仮置きされる。尚、図１１では、図中右側が太陽電池パネル１０の傾斜方向Ｄ１３の低位側、図中左側が傾斜方向Ｄ１３の高位側に相当する。このため、図中右側の２つの置き基礎２１のそれぞれに低支持金具２３が１つずつ仮置きされ、図中左側の２つの置き基礎２１のそれぞれに高支持金具２４が１つずつ仮置きされる。仮置きは、置き基礎２１のアンカーボルト２１１が低支持金具２３の貫通孔２３１ａや高支持金具２４の貫通孔２４１ａに挿入されるように、低支持金具２３や高支持金具２４が置き基礎２１の上面に置かれることで行われる。このステップＳ１２の段階では、低支持金具２３や高支持金具２４が、各アンカーボルト２１１を軸とした軸回りに動けるようになっている。
【００７３】
ステップＳ１３では、金属枠１０２における４つの支持孔１０２ａに対する、２つの低支持金具２３及び２つの高支持金具２４それぞれの突起部２３３ｂ，２４３ｂの相対的な位置合わせが行われる。本実施形態では、この位置合わせに、金属枠１０２における４つの支持孔１０２ａを模擬した位置決め治具５が用いられる。この位置決め治具５は、２本の棒部材５１１を各中央で回動自在に連結した第１治具５１と、１本の棒部材からなり第１治具５１の回動量を規制する第２治具５２と、を備えている。
【００７４】
図１２は、図１１に示されている第１治具を示す図であり、図１３は、図１１に示されている第２治具を示す図である。
【００７５】
第１治具５１は、上述したように２本の棒部材５１１を各中央で回動自在に連結したものである。これにより、第１治具５１は、矢印Ｄ１４方向に開閉自在となっており、畳んで１本の棒状にして簡単に持ち運べるようにすることができる。
【００７６】
各棒部材５１１の両端には、低支持金具２３の突起部２３３ｂや高支持金具２４の突起部２４３ｂの位置決め孔５１１ａが設けられている。各位置決め孔５１１ａは、図１１に低支持金具２３の突起部２３３ｂを例に挙げて示されているように、帯板状の突起部２３３ｂが嵌入されるように長方形状の貫通孔となっている。このため、各位置決め孔５１１ａに嵌入された突起部２３３ｂ，２４３ｂは、位置決め孔５１１ａの中では軸回りの回転等が不能となりその姿勢が規制される。
【００７７】
また、各棒部材５１１における、図１２中の右側の端部には、位置決め孔５１１ａの隣に、第２治具５２を取付けるための取付け孔５１１ｂが設けられている。
【００７８】
第２治具５２は、上述したように１本の棒部材であり、その両端に第１治具５１の各棒部材５１１の取付け孔５１１ｂに嵌入される取付け突起５２１が立設されている。図１３には、第２治具５２を側面から見たときと、この第２治具５２を取付け突起５２１の側から見たときと、の双方についての平面図が示されている。
【００７９】
この第２治具５２の長さは、図２に示されている金属枠１０２における４つの支持孔１０２ａにおける、太陽電池パネル１０の短辺方向の間隔に対応した長さとなっている。このため、第２治具５２を、各取付け突起５２１が各取付け孔５１１ｂに嵌入するように第１治具５１に取付けると、４つの位置決め孔５１１ａが、金属枠１０２における４つの支持孔１０２ａの配置と同様の配置で並ぶこととなる。また、図１２に示されているように、このときには、各々が長方形状である４つの位置決め孔５１１ａは、各位置決め孔５１１ａの長手方向が、高位側及び低位側それぞれにおいて２個ずつ直線状に並ぶように配置される。本実施形態では、まず、１本の棒状で作業現場まで運ばれた第１治具５１が図１１や図１２に示されているように展開される。そして、第２治具５２が取り付けられることで、金属枠１０２における４つの支持孔１０２ａを模擬した位置に４つの位置決め孔５１１ａが並んだ位置決め治具５が完成する。
【００８０】
図１１のステップＳ１３では、仮置きされた２つの低支持金具２３及び２つの高支持金具２４それぞれの突起部２３３ｂ，２４３ｂが、４つの位置決め孔５１１ａに嵌入するように位置決め治具５が、２つの低支持金具２３及び２つの高支持金具２４に載置される。この載置において、各突起部２３３ｂ，２４３ｂの位置及び姿勢が、各位置決め孔５１１ａへの嵌入によって案内されて、金属枠１０２における４つの支持孔１０２ａへの挿入が可能な位置及び姿勢へと調節される。
【００８１】
ステップＳ１３では、このように各突起部２３３ｂ，２４３ｂの位置及び姿勢が調節された状態で、２つの低支持金具２３及び２つの高支持金具２４それぞれが、ナット２１３のアンカーボルト２１１への締結により置き基礎２１に固定される。
【００８２】
そして、以上に説明したステップＳ１１〜ステップＳ１３に至る支持金具設置工程に続いて、太陽電池パネル１０の低支持金具２３及び高支持金具２４への載置を含む、押え金具設置工程が行われる。
【００８３】
図１４は、図１３に示されている支持金具設置工程に続いて行なわれる押え金具設置工程において、太陽電池パネルが低支持金具及び高支持金具に載置される様子を示す模式図である。この図１４では、１枚の太陽電池パネル１０の載置が、高支持金具２４を例に挙げて示されている。
【００８４】
本実施形態では、図４に示されているように、金属枠１０２における一対の長辺それぞれに２つずつ支持孔１０２ａが設けられている。図１４の例では、太陽電池パネル１０が、金属枠１０２の一方の長辺における２つの支持孔１０２ａから先に、高支持金具２４の突起部２４３ｂ及び低支持金具２３の突起部２３３ｂが挿入される。続いて、これらの突起部２３３ｂ，２４３ｂを回動中心として、太陽電池パネル１０が矢印Ｄ１５方向に降ろされる。これにより、金属枠１０２のもう一方の長辺における２つの支持孔１０２ａに、高支持金具２４の突起部２４３ｂ及び低支持金具２３の突起部２３３ｂが挿入されて、太陽電池パネル１０が低支持金具２３及び高支持金具２４に載置される。図１１を参照して説明したように、突起部２３３ｂ，２４３ｂの位置及び姿勢が調節されているので、この図１４に示されている突起部２３３ｂ，２４３ｂの挿入はスムーズに行われる。また、本実施形態では、各支持孔１０２ａが長孔に形成されていることも、突起部２３３ｂ，２４３ｂのスムーズな挿入に寄与することとなる。
【００８５】
本実施形態では、上述した支持金具設置工程及び、図１４を参照して説明した太陽電池パネル１０の載置が、まず、図１に示されている太陽電池パネル１０の配列のうち、太陽電池パネル１０の短辺に沿った配列方向Ｄ１２の１列分について行なわれる。そして、この１列分の太陽電池パネル１０の載置が終了すると、図９を参照して説明した境界用押え金具２５の設置と、図１０を参照して説明した端部押え金具２６の設置と、が行われる。以上の処理が、図１に示されている太陽電池パネル１０の全ての列について行なわれて、本実施形態の太陽光発電設備１を構成するための太陽電池パネル施工方法が終了する。
【００８６】
以上に説明した本実施形態の太陽電池パネル施工方法では、上述した太陽電池パネル設置構造２０が用いられて太陽電池パネル１０が設置されるので、施工コストを抑えて手軽に太陽電池パネル１０を設置することができる。また、支持金具設置工程の段階で、金属枠１０２における４つの支持孔１０２ａに対する低支持金具２３及び高支持金具２４それぞれの突起部２３３ｂ，２４３ｂの相対的な位置合わせが行われるので太陽電池パネル１０の設置が効率的に行われる。本実施形態の太陽電池パネル施工方法によれば、この点においても、施工コストを抑えて手軽に太陽電池パネル１０を設置することができる。
【００８７】
また、本実施形態の太陽電池パネル施工方法では、支持金具設置工程において、低支持金具２３及び高支持金具２４それぞれの突起部２３３ｂ，２４３ｂの位置合わせが、位置決め治具５の利用によりまとめて行われる。このため、太陽電池パネル１０の設置が一層効率的に行われるので、施工コストを一層抑えて手軽に太陽電池パネル１０を設置することができる。
【００８８】
尚、本発明にいう位置決め治具は、図１１〜図１３に示されている位置決め治具５に限るものではなく、金属枠１０２における支持孔１０２ａを模擬したものであれば、例えば以下に説明する別例の位置決め治具等であってもよい。
【００８９】
図１５は、別例の位置決め治具を示す三面図である。
【００９０】
別例の位置決め治具６は、２本の棒部材６１１を各中央で回動自在に連結した第１治具６１と、第１治具６１の回動量を規制する２本の第２治具６２と、を備えている。
【００９１】
第１治具６１は、矢印Ｄ２１方向に開閉自在となっており、別例の位置決め治具６を後述のように畳んで１本の棒状にして簡単に持ち運べるようにすることができる。
【００９２】
２本の第２治具６２それぞれの両端には、低支持金具２３の突起部２３３ｂや高支持金具２４の突起部２４３ｂの位置決め孔６２１が設けられている。ここで、この別例では、各低支持金具２３や高支持金具２４に２つずつ設けられている突起部２３３ｂ，２４３ｂが２つとも嵌入されるように、長方形の貫通孔に形成された位置決め孔６２１が、各第２治具６２の各端部に２つずつ設けられている。
【００９３】
また、各第２治具６２には、第１治具６１をなす２本の棒部材６１１それぞれにおける同じ側の一端部が、ネジ６３により固定されている。ここでの固定は、第１治具６１の矢印Ｄ２１方向の開閉を妨げないように、回動自在な固定となっている。また、各棒部材６１１における反対側の端部には、ちょうネジ６４が、２本の第２治具６２に対して着脱自在に取り付けられている。
【００９４】
図１６は、図１５に示されている別例の位置決め治具が畳まれた状態で作業現場まで運ばれ、作業現場で展開される様子を示す図である。
【００９５】
別例の位置決め治具６は、図１６に示されているように、ちょうネジ６４が２本の第２治具６２それぞれに固定されていない状態で畳んで１本の棒状に畳んで持ち運ぶことができる。この状態で作業現場まで運ばれると第１治具６１が図中の矢印Ｄ２１１方向に開かれる。ここで、２本の第２治具６２それぞれには、ちょうネジ６４が捩じ込まれるネジタップ６２２が設けられている。第１治具６１は、各ちょうネジ６４の位置が各第２治具６２のネジタップ６２２の位置と一致する状態になるまで矢印Ｄ２１１方向に開かれる。そして、その状態において、各ちょうネジ６４が各ネジタップ６２２に捩じ込まれて固定されて、図１５に示されている状態となる。
【００９６】
別例の位置決め治具６は、この状態において、２本の第２治具６２の相互間における位置決め孔６２１の間隔が、次のような間隔となるように設定されている。即ち、このときの位置決め孔６２１の間隔が、図２に示されている金属枠１０２における４つの支持孔１０２ａにおける、太陽電池パネル１０の短辺方向の間隔に略一致するように、第１治具６１の端部の固定箇所が設定されている。ここで、第２治具６２の各端部における２つの位置決め孔６２１のうち、第１治具６１に近い方の位置決め孔６２１が、金属枠１０２の支持孔１０２ａを模擬した孔となっている。このため、展開状態の第１治具６１と２本の第２治具６２とを組み合わせると、第１治具６１に近い方の４つの位置決め孔６２１が、金属枠１０２における４つの支持孔１０２ａの配置と同様の配置で並ぶこととなる。
【００９７】
更に、この別例では、上記のように第２治具６２の端部には、各低支持金具２３や高支持金具２４における突起部２３３ｂ，２４３ｂが２つとも嵌入されるように、金属枠１０２の支持孔１０２ａの模擬も含めて位置決め孔６２１が２つずつ設けられている。このため、第１治具６１と第２治具６２とを組み合わせると、１枚の太陽電池パネル１０を保持するための２つの低支持金具２３や２つの高支持金具２４における突起部２３３ｂ，２４３ｂの配列に対応するように４つの位置決め孔６２１が並ぶこととなる。
【００９８】
以上に説明した別例の位置決め治具６を用いると、各突起部２３３ｂ，２４３ｂの位置及び姿勢が、金属枠１０２における４つの支持孔１０２ａへの挿入が可能な位置及び姿勢となるように次のように調節される。
【００９９】
図１７は、図１５及び図１６に示されている別例の位置決め治具を用いて、低支持金具や高支持金具における突起部の位置及び姿勢が調節される様子を示す図である。
【０１００】
この図１７のステップＳ２１に示されているように、上記の位置及び姿勢の調節に当たっては、置き基礎２１に仮置きされた２つの低支持金具２３及び２つの高支持金具２４に別例の位置決め治具６が載置される。このときの載置は、ステップＳ２２に示されているように、仮置きされた２つの低支持金具２３及び２つの高支持金具２４それぞれに２つずつ設けられた突起部２３３ｂ，２４３ｂが、８つの位置決め孔６２１に嵌入するように行われる。この載置において、各突起部２３３ｂ，２４３ｂの位置及び姿勢が、各位置決め孔６２１への嵌入によって案内されて、金属枠１０２における４つの支持孔１０２ａへの挿入が可能な位置及び姿勢へと調節される。また、この別例では、低支持金具２３や高支持金具２４に２つずつ設けられた突起部２３３ｂ，２４３ｂが、２つとも位置決め孔６２１に嵌入される。これにより、各低支持金具２３や各高支持金具２４が各々確実に平行保持されるので、一層厳密に各突起部２３３ｂ，２４３ｂの位置及び姿勢を調節することができる。
【０１０１】
以上で、本実施形態における太陽電池パネル施工方法について位置決め治具の別例も含めた説明を終了し、次に、太陽光発電設備１を構成するための太陽電池パネル施工方法について、本実施形態の太陽電池パネル施工方法とは異なる別例について説明する。
【０１０２】
この別例の太陽電池パネル施工方法も、本実施形態の太陽電池パネル施工方法と同様に、支持金具設置工程と、押え金具設置工程と、の２工程を経て太陽電池パネル１０を設置する方法である。
【０１０３】
図１８は、別例の太陽電池パネル施工方法における支持金具設置工程を示す模式図である。この図１８でも、説明の簡単化のために、１枚の太陽電池パネル１０の設置を例に挙げて、この太陽電池パネル１０を支持する２つの低支持金具２３と２つの高支持金具２４を４つの置き基礎２１に設置する手順が示されている。
【０１０４】
この図１８におけるステップＳ２１では、図１１のステップＳ１１と同様の手順により陸屋根Ａ１１への置き基礎２１の設置と、各置き基礎２１へのアンカーボルト２１１の設置と、が行われる。
【０１０５】
別例の太陽電池パネル施工方法では、次のステップＳ２２において、太陽電池パネル１０の金属枠１０２における一方の長辺のみを支持する低支持金具２３及び高支持金具２４が置き基礎２１に仮置きされる。
【０１０６】
そして、次のステップＳ２３において、まず、残りの低支持金具２３及び高支持金具２４について、各支持孔１０２ａに各突起部２３３ｂ，２４３ｂを挿入することで太陽電池パネル１０に対して仮組付けが行われる。続いて、これらの低支持金具２３及び高支持金具２４が、太陽電池パネル１０と一緒に設置される。
【０１０７】
図１９は、図１８に示されている支持金具設置工程のステップＳ２３において、一組の低支持金具及び高支持金具が、太陽電池パネルと一緒に設置される様子を示す模式図である。この図１９では、１枚の太陽電池パネル１０の設置が、高支持金具２４を例に挙げて示されている。
【０１０８】
ここでの太陽電池パネル１０の設置は、作業者が、仮組付けした低支持金具２３及び高支持金具２４を手で支えながら行われる。まず、太陽電池パネル１０が、仮組み対象外の２つの支持孔１０２ａに、置き基礎２１に仮置きされている高支持金具２４の突起部２４３ｂ及び低支持金具２３の突起部２３３ｂが挿入される。続いて、これらの突起部２３３ｂ，２４３ｂを回動中心として、太陽電池パネル１０と一緒に低支持金具２３及び高支持金具２４が矢印Ｄ１６方向に降ろされる。これにより、低支持金具２３の貫通孔２３１ａ（図５参照。）及び高支持金具２４の貫通孔２４１ａ（図６参照。）に、置き基礎２１のアンカーボルト２１１が挿入される。この段階では、何れの低支持金具２３及び高支持金具２４もまだアンカーボルト２１１に固定はされていない。このため、太陽電池パネル１０と一緒に低支持金具２３及び高支持金具２４が降ろされる際に、自然と馴染む位置へと低支持金具２３及び高支持金具２４が移動する。これにより、この別例の太陽電池パネル施工方法における支持金具設置工程では、金属枠１０２における４つの支持孔１０２ａに対する低支持金具２３及び高支持金具２４それぞれの突起部２３３ｂ，２４３ｂの相対的な位置合わせが行われる。この後、低支持金具２３及び高支持金具２４それぞれが、アンカーボルト２１１へのナット２１３の締結により置き基礎２１に固定される。
【０１０９】
そして、以上に説明したステップＳ２１〜ステップＳ２３に至る支持金具設置工程に続いて、既に設置済みの太陽電池パネル１０の金属枠１０２を低支持金具２３や高支持金具２４との間に挟持するように押え金具設置工程が行われる。この押え金具設置工程では、図９を参照して説明した境界用押え金具２５の設置と、図１０を参照して説明した端部押え金具２６の設置と、が行われる。以上の処理が、図１に示されている太陽電池パネル１０の全ての列について行なわれて、この別例の太陽電池パネル施工方法が終了する。
【０１１０】
以上に説明した別例の太陽電池パネル施工方法によっても、上述した実施形態の太陽電池パネル施工方法と同様に、施工コストを抑えて手軽に太陽電池パネル１０を設置することができることは言うまでもない。
【０１１１】
また、別例の太陽電池パネル施工方法では、支持金具設置工程において、太陽電池パネル１０に対する低支持金具２３や高支持金具２４の仮組付けにより、太陽電池パネル１０の設置と各突起部２３３ｂ，２４３ｂの位置合わせとが一緒に行われる。このため、太陽電池パネル１０の設置が一層効率的に行われるので、施工コストを一層抑えて手軽に太陽電池パネル１０を設置することができる。
【０１１２】
ここで、図１１〜図１４を参照して説明した実施形態の太陽電池パネル施工方法と、図１８及び図１９を参照して説明した別例の太陽電池パネル施工方法と、の何れにおいても、低支持金具２３や高支持金具２４について次のような高さ調節が可能となっている。
【０１１３】
図２０は、低支持金具や高支持金具について行なわれる高さ調節について、高支持金具を例に挙げて説明する模式図である。
【０１１４】
この図２０の例では、太陽電池パネル１０において傾斜方向と交差する短辺に沿った方向についての水平位置合わせのために各長辺を支持する低支持金具２３や高支持金具２４の高さ調節が行われている。この高さ調節は、低支持金具２３や高支持金具２４と太陽電池パネル１０の金属枠１０２との間に、金属板状のスペーサ２７を適宜の枚数介在させることで行われる。
【０１１５】
図２１は、図２０に示されているスペーサを示す三面図である。
【０１１６】
この図２１に示されているように、スペーサ２７は、略長方形状の金属板であり、図５に示されている低支持金具２３の支持板部２３３や、図６に示されている高支持金具２４の支持板部２４３に載置される。その中央には、境界用押え金具２５や端部押え金具２６を固定するためのボルト２５４が通る貫通孔２７１が設けられている。また、各短辺の近傍には、低支持金具２３の突起部２３３ｂや高支持金具２４の突起部２４３ｂが通る切欠き２７２が形成されている。これにより、スペーサ２７は、各突起部２３３ｂ，２４３ｂを避けつつ、また、ボルト２５４の取付けを妨げることなく、低支持金具２３の支持板部２３３や、図６に示されている高支持金具２４の支持板部２４３に載置することが可能となっている。
【０１１７】
図２０の例では、複数の置き基礎２１の相互間における上面高さの微妙な差異等により、高支持金具２４の高さに差異が生じている。ここでの例では、図中右側の高支持金具２４が最も高く、次いで図中左側の高支持金具２４、中央の高支持金具２４の順で、高さが低くなっている。このままで太陽電池パネル１０が設置されると、一対の高支持金具２４の相互間で傾きが生じる。このような傾きを回避するために、図中左側の高支持金具２４と、中央の高支持金具２４とに、スペーサ２７が載置されて、図中右側の高支持金具２４に対して高さ合せが行われている。載置されるスペーサ２７の枚数は、中央の高支持金具２４の方が多くなっている。
【０１１８】
以上、説明したように、本実施形態や上記の別例では、図２１に示されているスペーサ２７を用いて、低支持金具２３や高支持金具２４の高さ調節を行うことができる。
【０１１９】
次に、本発明の第２〜第６の各実施形態について説明する。これらの実施形態は、何れも、太陽電池パネル設置構造が上述した第１実施形態とは異なっている。以下、各実施形態について、この第１実施形態との相違点である太陽電池パネル設置構造に注目して説明を行う。他方、基本的に第１実施形態と同等なものとなる太陽光発電設備及び太陽電池パネル施工方法については説明を割愛する。
【０１２０】
＜第２実施形態＞
図２２は、本発明の第２実施形態にかかる太陽電池パネル設置構造を示す図である。この図２２では、図１に示されている構成要素と同等な構成要素については、図１と同じ符号が付されており、以下では、それら同等な構成要素の重複説明を省略する。
【０１２１】
まず、第２実施形態の太陽電池パネル設置構造７０は、設置場所として、第１実施形態のような平坦な陸屋根Ａ１１とは異なり、必ずしも平坦ではなく各所の間である程度の高低差がある陸屋根Ａ７０１に設けられている。このような陸屋根Ａ７０１の一例としては、流れ勾配のある複数の屋根板で構成されたものや、目地があるもの等というように、表面に段差のある屋根が挙げられる。そして、本実施形態では、図１に示されている置き基礎２１に替わって設置台７０１が用いられている。
【０１２２】
設置台７０１は、陸屋根Ａ７０１に、低支持金具２３や高支持金具２４といった複数の支持金具と一対一に設置される。各設置台７０１は、以下に説明するように陸屋根Ａ７０１からの高さについて調節自在に構成されて、対応する支持金具が固定される。設置台７０１に固定された低支持金具２３や高支持金具２４、及び、境界用押え金具２５や端部押え金具２６による太陽電池パネル１０の支持構造は、上述した第１実施形態と同じである。図２２では、端部押え金具２６を用いた太陽電池パネル１０の端部の支持構造の側面図が、代表例として示されている。
【０１２３】
図２３は、図２２に示されている設置台及び、その周辺構造の拡大図である。
【０１２４】
設置台７０１は、樹脂製で略円柱状の本体部７０２と、同じく樹脂製で略円板状の台座部７０３と、を備えている。本体部７０２は、陸屋根Ａ７０１との間に、屋根側からブチルゴムシート７０５ａと金属板７０５ｂとを挟んで、アンカーボルト７０４を介して陸屋根Ａ７０１に固定されている。ブチルゴムシート７０５ａと金属板７０５ｂは、アンカーボルト７０４が陸屋根Ａ７０１に穴を穿って捩じ込まれることに対する防水の働きを担っている。本体部７０２の上部は、雄ネジが形成されたネジ部７０２ａとなっており、このネジ部７０２ａに、台座部７０３に形成された雌ネジが噛み合わされている。本体部７０２のネジ部７０２ａに対する台座部７０３の取付け高さを調節することで、設置台７０１の高さＨ７０１、即ち、陸屋根Ａ７０１から、台座部７０３の上面までの高さＨ７０１が調節自在となっている。
【０１２５】
本体部７０２の上端からは、上記の支持金具を台座部７０３の上面に固定するための固定用ボルト７０６が、台座部７０３の中央に設けられた貫通孔を貫通して上方に突出するように設けられている。図２３では、支持金具の代表例として高支持金具２４が示されている。高支持金具２４は、載置板部２４１の貫通孔２４１ａを貫通した固定用ボルト７０６に、平ワッシャ７０７、バネワッシャ７０８を介してナット７０９が締結されることで台座部７０３の上面に固定される。図示は省略するが、低支持金具２３も同様の固定構造により対応する設置台７０１の台座部７０３の上面に固定される。
【０１２６】
尚、本実施形態では、本発明にいう設置台の一例として、市販されているフクビ化学工業製のマルチポスト（登録商標）を採用した設置台７０１が例示されている。しかしながら、本発明にいう設置台はこれに限るものではなく、設置場所からの高さが調節可能なものであればその具体的な態様を問うものではない。
【０１２７】
以上に説明した第２実施形態によっても、上述した第１実施形態と同様に、施工コストを抑えて手軽に太陽電池パネル１０を設置することができることは言うまでもない。
【０１２８】
ここで、本実施形態では、第１実施形態とは異なり、設置場所が陸屋根Ａ７０１となっているが、陸屋根Ａ７０１では、その各所の相互間で高低差が生じている場合がある。本実施形態によれば、このような場所であっても、設置台７０１の高さＨ７０１、即ち各支持金具の設置高さを調節することで陸屋根Ａ７０１における高低差を吸収して太陽電パネル１０を良好に設置することができる。
【０１２９】
＜第３実施形態＞
図２４は、本発明の第３実施形態にかかる太陽電池パネル設置構造を示す図である。この図２４では、図２２に示されている第２実施形態の構成要素と同等な構成要素については、図２２と同じ符号が付されており、以下では、それら同等な構成要素の重複説明を省略する。
【０１３０】
この第３実施形態の太陽電池パネル設置構造７５も、上述の第２実施形態と同様に、設置場所として、屋外の陸屋根Ａ７０１に設けられている。そして、本実施形態では、図１に示されている置き基礎２１に替わってアンカーボルト７５１が用いられている。
【０１３１】
アンカーボルト７５１は、陸屋根Ａ７０１に、低支持金具２３や高支持金具２４といった複数の支持金具と一対一に設置される。各支持金具は、対応するアンカーボルト７５１に、以下に説明するように陸屋根Ａ７０１からの高さについて調節自在に固定される。アンカーボルト７５１に固定された低支持金具２３や高支持金具２４、及び、境界用押え金具２５や端部押え金具２６による太陽電池パネル１０の支持構造は、上述した第１実施形態と同じである。図２４では、端部押え金具２６を用いた太陽電池パネル１０の端部の支持構造の側面図が、代表例として示されている。
【０１３２】
図２５は、図２４に示されているアンカーボルト、及び、その周辺構造の拡大図である。
【０１３３】
アンカーボルト７５１は、１本の棒状の全ネジボルトである。アンカーボルト７５１の下端７５１ａは陸屋根Ａ７０１に埋設されている。そして、この下端７５１ａの側に、陸屋根Ａ７０１との間にブチルゴムシート７０５ａと金属板７０５ｂとバネワッシャ７５２を挟んでナット７５３が締結されている。このナット７５３の締結によりアンカーボルト７５１は陸屋根Ａ７０１に略垂直に立設される。
【０１３４】
アンカーボルト７５１の先端７５１ｂの側には、ダブルナット７５４が締結されている。このダブルナット７５４の締結位置によって、低支持金具２３や高支持金具２４の陸屋根Ａ７０１からの高さＨ７５１が決まる。また、ダブルナット７５４の緩み止め効果により、各支持金具の高さＨ７５１は安定した状態で維持される。
【０１３５】
図２５では、支持金具の代表例として高支持金具２４が示されている。高支持金具２４は、アンカーボルト７５１が載置板部２４１の貫通孔２４１ａを貫通するように、ダブルナット７５４における上側のナット７５４ａに、バネワッシャ７５５と平ワッシャ７５６とを間に挟んで載置される。さらに、アンカーボルト７５１の先端７５１ｂの側に、平ワッシャ７５７を介してナット７５８が締結されることで載置板部２４１がアンカーボルト７５１に固定される。図示は省略するが、低支持金具２３も同様の固定構造により対応するアンカーボルト７５１に固定される。
【０１３６】
以上に説明した第３実施形態によっても、上述した第１実施形態と同様に、施工コストを抑えて手軽に太陽電池パネル１０を設置することができることは言うまでもない。
【０１３７】
また、本実施形態によれば、各所に高低差のある陸屋根Ａ７０１であっても、アンカーボルト７５１に対する各支持金具の取付け高さを調節することで陸屋根Ａ７０１における高低差を吸収して太陽電パネル１０を良好に設置することができる。
【０１３８】
＜第４実施形態＞
図２６は、本発明の第４実施形態にかかる太陽電池パネル設置構造を示す図であり、図２７は、図２６に示されている太陽電池パネル設置構造を、図中の矢印Ｖ８０１方向から見た図である。これらの図２６及び図２７では、図２２に示されている第２実施形態の構成要素と同等な構成要素については、図２２と同じ符号が付されており、以下では、それら同等な構成要素の重複説明を省略する。
【０１３９】
この第４実施形態の太陽電池パネル設置構造８０も、上述の第２実施形態と同様に、設置場所として、屋外の陸屋根Ａ７０１に設けられている。そして、本実施形態では、図１に示されている置き基礎２１に替わって支持レール８０１が用いられている。
【０１４０】
支持レール８０１は、図４及び図２７に示されている仮想線１０１ｃと交差する支持孔１０２ａの配列方向Ｄ８０１（つまりは、太陽電池パネル１０の幅方向）に延在するように陸屋根Ａ７０１に設置される。このとき、支持レール８０１は、陸屋根Ａ７０１からの高さについて調節自在となるように複数本のアンカーボルト８０２を介して陸屋根Ａ７０１に設置される。また、支持レール８０１は、低支持金具２３や高支持金具２４それぞれの下方を通るように複数本が設置される。そして、低支持金具２３や高支持金具２４といった複数の支持金具それぞれが支持レール８０１に固定される。低支持金具２３は、低支持金具２３の下方を通る支持レール８０１に固定され、高支持金具２４は、高支持金具２４の下方を通る支持レール８０１に固定される。
【０１４１】
ここで、本実施形態では、支持レール８０１は、支持金具の数よりも少ない本数のアンカーボルト８０２を介して陸屋根Ａ７０１に設置される。具体的には、複数の支持金具の配列において一つ置きに支持金具に対応する位置にアンカーボルト８０２を介して支持レール８０１が陸屋根Ａ７０１に設置される。アンカーボルト８０２に対応する位置の支持金具はこのアンカーボルト８０２を介して支持レール８０１に固定される。他方、アンカーボルト８０２の相互間に位置する支持金具は、このアンカーボルト８０２よりも若干細い固定ボルト８０３を介して支持レール８０１に固定される。
【０１４２】
図２８は、図２６及び図２７に示されているアンカーボルト及び固定ボルトと、それぞの周辺構造の拡大図である。
【０１４３】
アンカーボルト８０２は、１本の棒状の全ネジボルトである。アンカーボルト８０２の下端８０２ａは陸屋根Ａ７０１に埋設されている。そして、この下端８０２ａの側に、陸屋根Ａ７０１との間にブチルゴムシート７０５ａと金属板７０５ｂとバネワッシャ８０５を挟んでナット８０６が締結されている。このナット８０６の締結によりアンカーボルト８０２は陸屋根Ａ７０１に略垂直に立設される。
【０１４４】
アンカーボルト８０２の先端８０２ｂの側には、ダブルナット８０７が締結されている。このダブルナット８０７の締結位置によって、支持レール８０１の陸屋根Ａ７０１からの高さＨ８０１が決まる。また、ダブルナット８０７の緩み止め効果により、支持レール８０１の高さＨ８０１は安定した状態で維持される。支持レール８０１は、アンカーボルト８０２がこの支持レール８０１の上壁８０１ａを貫通するように、ダブルナット８０７における上側のナット８０７ａに平ワッシャ８０８を間に挟んで載置される。
【０１４５】
図２８では、支持金具の代表例として高支持金具２４が示されている。高支持金具２４がアンカーボルト８０２を介して支持レール８０１に固定される箇所では、次のような固定構造となっている。即ち、この箇所では、高支持金具２４は、アンカーボルト８０２が載置板部２４１の貫通孔２４１ａを貫通するように、支持レール８０１に載置される。さらに、アンカーボルト８０２の先端８０２ｂの側にバネワッシャ８０９を介してナット８１０が締結されることで載置板部２４１が支持レール８０１に固定される。
【０１４６】
他方、高支持金具２４がアンカーボルト８０２を介さずに固定ボルト８０３によって支持レール８０１に固定される箇所では、次のような固定構造となっている。即ち、この箇所では、固定ボルト８０３が、ボルト頭８０３ａと支持レール８０１の上壁８０１ａとの間に平ワッシャ８１１を挟んで、上壁８０１ａを貫通する。そして、高支持金具２４は、その固定ボルト８０３が載置板部２４１の貫通孔２４１ａを貫通するように支持レール８０１に載置される。さらに、固定ボルト８０３の先端８０３ｂの側にバネワッシャ８１２を介してナット８１３が締結されることで載置板部２４１が支持レール８０１に固定される。
【０１４７】
図示は省略するが、低支持金具２３も同様に上述した２種類の固定構造により支持レール８０１に固定される。
【０１４８】
以上に説明した第４実施形態によっても、上述した第１実施形態と同様に、施工コストを抑えて手軽に太陽電池パネル１０を設置することができることは言うまでもない。
【０１４９】
また、本実施形態によれば、各所に高低差のある陸屋根Ａ７０１であっても、支持レール８０１の設置高さを調節することで陸屋根Ａ７０１における上記のような高低差を吸収して太陽電パネル１０を良好に設置することができる。
【０１５０】
また、本実施形態では、支持レール８０１が、複数の支持金具の数よりも少ない本数のアンカーボルト８０２を介して陸屋根Ａ７０１に設置される。これにより、支持レール８０１を設置するためのアンカーボルト８０２のボルト数を抑えることができるので施工コストを低減することができる。
【０１５１】
＜第５実施形態＞
図２９は、本発明の第５実施形態にかかる太陽電池パネル設置構造を示す図である。この図２９では、図２２に示されている第２実施形態の構成要素と同等な構成要素については、図２２と同じ符号が付されており、以下では、それら同等な構成要素の重複説明を省略する。
【０１５２】
この第５実施形態の太陽電池パネル設置構造８５は、上述の第１実施形態と同様に、設置場所として、平坦な陸屋根Ａ８５１に設けられている。そして、本実施形態では、図１に示されている置き基礎２１を用いずに低支持金具２３や高支持金具２４といった複数の支持金具が陸屋根Ａ８５１にアンカーボルト８５１を介して直に固定されている。
【０１５３】
本実施形態におけるアンカーボルト８５１は、支持金具を陸屋根Ａ８５１に直に固定するのに必要な長さしか有しておらず、図２４や図２５に示されている第３実施形態におけるアンカーボルト７５１よりも短くなっている。本実施形態では、この短いアンカーボルト８５１が、陸屋根Ａ８５１に、低支持金具２３や高支持金具２４といった複数の支持金具と一対一に設置される。このアンカーボルト８５１を介して陸屋根Ａ８５１に直に固定された低支持金具２３や高支持金具２４、及び、境界用押え金具２５や端部押え金具２６による太陽電池パネル１０の支持構造は、上述した第１実施形態と同じである。図２９では、端部押え金具２６を用いた太陽電池パネル１０の端部の支持構造の側面図が、代表例として示されている。
【０１５４】
図３０は、図２９に示されているアンカーボルト及び、その周辺構造の拡大図である。
【０１５５】
アンカーボルト８５１は、１本の棒状のボルトである。アンカーボルト８５１の下端８５１ａは陸屋根Ａ８５１に埋設されている。
【０１５６】
ここで、図３０では、支持金具の代表例として高支持金具２４が示されている。高支持金具２４は、アンカーボルト８５１が載置板部２４１の貫通孔２４１ａを貫通するように、陸屋根Ａ８５１との間にブチルゴムシート７０５ａと金属板７０５ｂを挟んで載置される。そして、アンカーボルト８５１の先端８５１ｂの側に、平ワッシャ８５２及びバネワッシャ８５３を介してナット８５４が締結されることで載置板部２４１が陸屋根Ａ８５１に固定される。図示は省略するが、低支持金具２３も同様の固定構造により対応するアンカーボルト８５１を介して陸屋根Ａ８５１に固定される。
【０１５７】
以上に説明した第４実施形態によっても、上述した第１実施形態と同様に、施工コストを抑えて手軽に太陽電池パネル１０を設置することができることは言うまでもない。
【０１５８】
また、本実施形態によれば、各所における高低差が少なく、支持金具の設置高さの調節が不要な場合に、この支持金具の固定構造について単純化できるので施工コストを低減することができる。
【０１５９】
＜第６実施形態＞
図３１は、本発明の第６実施形態にかかる太陽電池パネル設置構造を示す図である。図３２は、図３１に示されている太陽電池パネル設置構造を、図中の矢印Ｖ９０１方向から見た図であり、図３３は、図３１に示されている太陽電池パネル設置構造を、図中の矢印Ｖ９０２方向から見た図である。これらの図３１〜図３３では、図２２に示されている第２実施形態の構成要素と同等な構成要素については、図２２と同じ符号が付されており、以下では、それら同等な構成要素の重複説明を省略する。
【０１６０】
この第６実施形態の太陽電池パネル設置構造９０は、ここまでに説明した第１〜第５実施形態とは異なり、設置場所として、屋外にあって大きな高低差が想定される大地Ａ９０１に設けられている。ここでの例では、図３２に模式的に示されているように、長方形状の太陽電池パネル１０の短辺に沿った幅方向について、大地Ａ９０１の各所には高低差が生じている。そして、本実施形態では、図１に示されている置き基礎２１に替わって、大地Ａ９０１の各所に固定設置される直方体ブロック状の長基礎９０１が用いられている。本実施形態では、太陽電池パネル１０における傾斜に沿った支持孔１０２ａの配列方向、即ち太陽電池パネル１０の長辺に沿って延在するように長基礎９０１が配置される。各長基礎９０１は、大地Ａ９０１にアンカーボルト９０２によって固定される。また、長基礎９０１は、大地Ａ９０１との間に不図示の防草シートを挟んで配置される。アンカーボルト９０２はこの防草シートを貫通して大地Ａ９０１に埋設設置される。
【０１６１】
長基礎９０１の上面には、その長手方向に沿って溝部９０３が形成されている。この溝部９０３は、後述の支持金具が固定される立設ボルト９０４を保持するためのもので、溝部９０３の開口９０３ａの幅は、この立設ボルト９０４の径よりも若干広めの幅となっている。一方で、溝部９０３の内部９０３ｂの幅は、開口９０３ａの幅よりも広くなっており、具体的には、立設ボルト９０４の下端９０４ａに取り付けられるナット９０５が溝部９０３の内部９０３ｂに回転不能に収まる幅となっている。
【０１６２】
立設ボルト９０４は、下端９０４ａのナット９０５が溝部９０３の内部９０３ｂに収まった状態で立設される。そして、溝部９０３の上方から、開口９０３ａの縁９０３ａ−１、平ワッシャ９０６、及びバネワッシャ９０７が通されて、更に、ナット９０８が締結されることで立設ボルト９０４が長基礎９０１に固定される。このように固定された立設ボルト９０４の先端９０４ｂの側に、太陽電池パネル１０を支持する低支持金具９０９や高支持金具９１０が大地Ａ９０１からの高さＨ９０１について調節自在に固定される。図３２には、太陽電池パネル１０の幅方向について３通りの高低差のある大地Ａ９０１に、太陽電池パネル１０を、幅方向について一定の高さで支持するべく、３通りに調節された高さＨ９０１が例示されている。
【０１６３】
本実施形態における低支持金具９０９や高支持金具９１０は、図中上下方向の高さが、これまでの第１〜第５の各実施形態における低支持金具２３や高支持金具２４よりも高い。また、本実施形態における低支持金具９０９や高支持金具９１０は、太陽電池パネル１０を支持する後述の支持板部の形状が、第１〜第５の各実施形態における低支持金具２３や高支持金具２４とは異なっている。その他、境界用押え金具２５や端部押え金具２６を介した太陽電池パネル１０の支持構造は第１〜第５の各実施形態における低支持金具２３や高支持金具２４と同等である。
【０１６４】
図３４は、図３３に示されている立設ボルト、及び、その周辺構造の拡大図である。
【０１６５】
立設ボルト９０４は、１本の棒状の全ネジボルトである。この立設ボルト９０４の先端９０４ｂの側には、ダブルナット９１１が締結されている。このダブルナット９１１の締結位置によって、低支持金具９０９や高支持金具９１０の大地Ａ９０１からの高さＨ９０１が決まる。また、ダブルナット９１１の緩み止め効果により、各支持金具の高さＨ９０１は安定した状態で維持される。
【０１６６】
図３４では、支持金具の代表例として高支持金具９０９が示されている。高支持金具９０９は、立設ボルト９０４が後述の載置板部９０９ａの貫通孔９０９ａ−１を貫通するように、ダブルナット９１１における上側のナット９１１ａに、バネワッシャ９１２と平ワッシャ９１３とを間に挟んで載置される。さらに、立設ボルト９０４の先端９０４ｂの側に、平ワッシャ９１４を介してナット９１５が締結されることで載置板部９１４が立設ボルト９０４に固定される。図示は省略するが、低支持金具９１０も同様の固定構造により対応する立設ボルト９０４に固定される。
【０１６７】
図３５は、図３１〜図３３に示されている低支持金具を示す三面図であり、図３６は、図３１〜図３４に示されている高支持金具を示す三面図である。
【０１６８】
低支持金具９０９は、載置板部９０９ａと、立板部９０９ｂと、支持板部９０９ｃと、を備え、側面視で略Ｚ字型に形成された板金部材である。載置板部９０９ａの略中央にアンカーボルト９０４が通る貫通孔９０９ａ−１が設けられている。立板部９０９ｂは、載置板部９０９ａの一端縁から垂直に折り曲げられて立ち上がった部位であり、その両側端縁が載置板部９０９ａの側へと直角に折り曲げられて一対の補強リブ９０９ｂ−１が形成されている。各補強リブ９０９ｂ−１には、この低支持金具９０９を他部品と電気的に接続するためのケーブル等の取付けに利用される取付け孔９０９ｂ−２が形成されている。支持板部９０９ｃは、立板部９０９ｂの上端縁から太陽電池パネル１０の傾斜角度に応じた勾配の曲げ角で折り曲げられた部位である。支持板部９０９ｃには、太陽電池パネル１０の支持孔１０２ａ（図４）に挿入される一対の突起部９０９ｃ−１が設けられている。また、支持板部９０９ｃの中央には、境界用押え金具２５や端部押え金具２６をボルト止め固定するためのボルト穴９０９ｃ−２が設けられている。
【０１６９】
ここで、本実施形態では、上述した第１〜第５の各実施形態の低支持金具２３とは異なり、立板部９０９ｂにおける図中上下方向の高さＨ９０２が、低支持金具２３における高さＨ１（図５）よりも高い。また、支持板部９０９ｃの立板部９０９ｂの上端縁からの勾配が、第１〜第５の各実施形態の低支持金具２３とは異なり下り勾配となっている。尚、支持板部９０９ｃの勾配は、立板部９０９ｂから見て太陽電池パネル１０の支持孔１０２ａが傾斜の高位側と低位側とのどちら側に位置するかによって決まる。ここでの例では、支持孔１０２ａが立板部９０９ｂの低位側に位置しているために支持板部９０９ｃの勾配が下り勾配となっている。支持孔１０２ａが立板部９０９ｂのどちら側に位置するかは、太陽電池パネル１０における支持孔１０２ａのピッチによって決まるので、このピッチによっては、本実施形態とは異なり、支持板部９０９ｃの勾配が登り勾配となることもあり得る。
【０１７０】
高支持金具９１０は、その高さＨ９０３以外は、上記の低支持金具９０９と略同様の形状を有しており、載置板部９１０ａと、立板部９１０ｂと、支持板部９１０ｃと、を備え、側面視で略Ｚ字型に形成された板金部材である。載置板部９１０ａの略中央にアンカーボルト９０４が通る貫通孔９１０ａ−１が設けられている。立板部９１０ｂは、載置板部９１０の一端縁から垂直に折り曲げられて立ち上がった部位であり、その両側端縁に一対の補強リブ９１０ｂ−１が形成されている。各補強リブ９１０ｂ−１には、この高支持金具９１０を他部品と電気的に接続するためのケーブル等の取付けに利用される取付け孔９１０ｂ−２が形成されている。支持板部９１０ｃは、立板部９１０ｂの上端縁から太陽電池パネル１０の傾斜角度に応じ勾配の曲げ角で折り曲げられた部位である。支持板部９１０ｃには、太陽電池パネル１０の支持孔１０２ａ（図４）に挿入される一対の突起部９１０ｃ−１が設けられている。また、支持板部９１０ｃの中央には、境界用押え金具２５や端部押え金具２６をボルト止め固定するためのボルト穴９１０ｃ−２が設けられている。
【０１７１】
ここで、本実施形態では、上述した第１〜第５の各実施形態の高支持金具２４とは異なり、立板部９１０ｂにおける図中上下方向の高さＨ９０３が、高支持金具２４における高さＨ２（図６）よりも高い。また、支持板部９１０ｃの立板部９１０ｂの上端縁からの勾配が、第１〜第５の各実施形態の高支持金具２４とは異なり登り勾配となっている。尚、高支持金具９１０の支持板部９１０ｃの勾配は、上述した低支持金具９０９の支持板部９０９ｃの勾配と同様に、太陽電池パネル１０における支持孔１０２ａのピッチによっては、本実施形態とは異なり、下り勾配となることもあり得る。
【０１７２】
低支持金具９０９や高支持金具９１０では、載置板部９０９ａ，９１０ａを貫通した立設ボルト９０４の先端９０４ｂの側は、図３２〜図３４に示されているように載置板部９０９ａ，９１０ａと太陽電池パネル１０との間の空間に位置することとなる。低支持金具９０９や高支持金具９１０が大地Ａ９０１から高めの位置に固定される場合、載置板部９０９ａ，９１０ａを貫通した部分の長さは短い。他方、低支持金具９０９や高支持金具９１０が大地Ａ９０１から低めの位置に固定される場合、載置板部９０９ａ，９１０ａを貫通した部分の長さは長くなる。本実施形態では、低支持金具９０９や高支持金具９１０が想定される最も低い位置に固定されても、立設ボルト９０４の先端９０４ｂが太陽電池パネル１０に当らないように、低支持金具９０９の高さＨ９０１や高支持金具９１０の高さＨ９０３が長くなっている。
【０１７３】
ここで、図２４及び図２５に示されている第３実施形態や、図２６〜図２８に示されている第４実施形態でも、低支持金具２３や高支持金具２４が低めに設置されるときには、アンカーボルト７５１，８０２の貫通量が大きくなる。ただし、これらの実施形態では、設置場所が、高低差が比較的に小さい陸屋根Ａ７０１であり、上記の貫通量がそれほど大きくはならないものと想定されている。この点を考慮に入れて、第１、第２、及び第５の各実施形態と同形状の低支持金具２３や高支持金具２４が採用されている。尚、設置場所としての陸屋根Ａ７０１の高低差が想定を超えて大きく、アンカーボルト７５１，８０２の貫通量が大きくなって太陽電池パネル１０に当りそうな場合には次のような構造が採用される。即ち、この場合には、図２０や図２１に示されているスペーサ２７を用いることで、低支持金具２３や高支持金具２４と太陽電池パネル１０との間の間隔が拡げられて、アンカーボルト７５１，８０２との接触が回避される。
【０１７４】
これに対し、第６実施形態では、立設ボルト９０４の下端９０４ａが長基礎９０１の溝部９０３の中に収容される構造となっているので、立設ボルト９０４自体については大地Ａ９０１から一定の高さとならざるを得ない。このため、本実施形態では、低支持金具９０９の高さＨ９０１や高支持金具９１０の高さＨ９０３を高くすることで、立設ボルト９０４の貫通量の長短に対応する構成となっている。
【０１７５】
以上に説明した第６実施形態によっても、上述した第１実施形態と同様に、施工コストを抑えて手軽に太陽電池パネル１０を設置することができることは言うまでもない。
【０１７６】
また、本実施形態によれば、立設ボルト９０４に対する各支持金具の取付け高さを調節することで大地Ａ９０１における各所での高低差を吸収して太陽電パネル１０を良好に設置することができる。
【０１７７】
＜第７実施形態＞
図３７は、本発明の第７実施形態にかかる太陽電池パネル設置構造を示す図である。図３７では、図１に示されている第１実施形態の構成要素と同等な構成要素については、図１と同じ符号が付されており、以下では、それら同等な構成要素の重複説明を省略する。
【０１７８】
この第７実施形態の太陽電池パネル設置構造９５は、上述の第１実施形態と同様に、設置場所として、平坦な陸屋根Ａ９５１に設けられている。そして、本実施形態では、図１に示されている置き基礎２１を用いずに次のような低支持金具９５１や高支持金具９５２によって太陽電池パネル１０が支持される。本実施形態における低支持金具９５１は、第１実施形態における置き基礎２１、アンカーボルト２１１、及び低支持金具２３を一体化した金具であり、ブチルゴムシート９５３を介して陸屋根Ａ９５１に直に設置される。同様に、本実施形態における高支持金具９５２は、第１実施形態における置き基礎２１、アンカーボルト２１１、及び高支持金具２４を一体化した金具であり、ブチルゴムシート９５３を介して陸屋根Ａ９５１に直に設置される。
【０１７９】
図３８は、図３７に示されている２種類の支持金具について、低支持金具を例に挙げて説明するための斜視図である。
【０１８０】
低支持金具９５１は、１枚の金属板に対する折り曲げ加工によって形成された板金部材であり、断面が略Ｃ字状に折り曲げられた支持部９５１ａと、支持部９５１ａの一対の下端縁から延在した一対の平板部９５１ｂと、を備えている。支持部９５１ａの上面９５１ａ−１には、太陽電池パネル１０の金属枠１０２における支持孔１０２ａに挿入される突起部９５１ａ−２が一対設けられている。各突起部９５１ａ−２は、支持部９５１ａの上面９５１ａ−１から切り起こされた部位である。また、一対の突起部９５１ａ−２の中間位置には、境界用押え金具２５や端部押え金具２６をボルト止め固定するためのボルト穴９５１ａ−３が設けられている。低支持金具９５１は、一対の平板部９５１ｂが、ブチルゴムシート９５３を介して陸屋根Ａ９５１に固定されることで設置される。平板部９５１ｂの陸屋根Ａ９５１への固定は不図示のボルト止め等によって行われる。
【０１８１】
図３７に示されている高支持金具９５２は、以上に説明した低支持金具９５１とは、支持部９５２ａの高さを除いて同等な形状となっている。
【０１８２】
以上に説明した第７実施形態によっても、上述した第１実施形態と同様に、施工コストを抑えて手軽に太陽電池パネル１０を設置することができることは言うまでもない。
【０１８３】
また、本実施形態によれば、置き基礎やアンカーボルトを用いないことから、一層施工コストを抑えて手軽に太陽電池パネル１０を設置することができる。
【０１８４】
尚、以上に説明した第１〜第７実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の太陽電池パネル設置構造、太陽光発電設備、及び太陽電池パネル施工方法の構成を具備する限り、勿論、本発明の範疇に含まれるものである。
【０１８５】
例えば、上述した実施形態では、本発明にいう太陽光発電設備の一例として、図１に示されているように配列されたアレイ構造を有する太陽光発電設備１が例示されている。そして、本発明にいう太陽電池パネル設置構造及び太陽電池パネル施工方法の各一例としても、このようなアレイ構造の太陽光発電設備１を設置するための太陽電池パネル設置構造２０や、別例を含む２種類の太陽電池パネル施工方法が例示されている。しかしながら、本発明にいう太陽電池パネル設置構造、太陽光発電設備、及び太陽電池パネル施工方法はこれらに限るものではない。本発明にいう太陽電池パネル設置構造や太陽光発電設備は、例えば、太陽電池パネルを１枚だけ設置する太陽電池パネル設置構造でもよく、そのように太陽電池パネルを１枚だけ備える太陽光発電設備であってもよい。そして、アレイ構造を採用する場合であっても、太陽電池パネルの枚数や配列形態は、図１に示されている枚数や配列形態に限るものではなく、任意に設定し得る。また、本発明にいう太陽電池パネル施工方法も、太陽電池パネルを１枚だけ設置する施工方法であってもよく、あるいは、図１に示されている枚数や配列形態とは異なる枚数や配列形態で太陽電池パネルを設置する施工方法であってもよい。
【０１８６】
また、上述した実施形態では、本発明にいう太陽電池パネルの一例として、長方形状の太陽電池パネル１０が例示されている。しかしながら、本発明にいう太陽電池パネルは、その形状について、長方形状に限るものではなく、正方形状であってもよく、あるいは、それら以外の多角形状であってもよく、さらには、円形等であってもよい。本発明にいう太陽電池パネルは、その形状について任意に設定し得るものである。
【０１８７】
また、上述した実施形態では、本発明にいう設置場所の一例として陸屋根Ａ１１，Ａ８５１や高低差のある陸屋根Ａ７０１，Ａ９０１が例示されているが、本発明にいう設置場所はこれに限るものではない。本発明にいう設置場所は、屋外の平坦な広場であってもよく、あるいは傾斜屋根や屋外の傾斜地等であってもよい。
【０１８８】
また、上述した実施形態のうち第２〜第４、及び第６の各実施形態では、本発明にいう支持金具や支持レールの高さの調節について次のような調節構造が例示されている。即ち、図２３に示されている設置台７０１のネジ部７０２ａに対する台座部７０３の取付け高さの調節構造、及び、アンカーボルト７５１，８０２や立設ボルト９０４に対するダブルナット７５４，８０７，９１１を利用した調節構造が例示されている。しかしながら、本発明にいう支持金具や支持レールの高さの調節についての調節構造は、これらの構造に限るものではなく、設置場所からの高さを調節自在とするものであれば具体的な構造自体を問うものではない。
【符号の説明】
【０１８９】
１      太陽光発電設備
５，６      位置決め治具
１０    太陽電池パネル
２０，７０，７５，８０，８５，９０，９５    太陽電池パネル設置構造
２１    置き基礎
２２，９５３    ブチルゴムシート
２３，９０９，９５１    低支持金具
２４，９１０，９５２    高支持金具
２５    境界用押え金具
２５ａ  端縁
２５ｂ  バリ
２６    端部押え金具
２７    スペーサ
５１，６１    第１治具
５２，６２    第２治具
６３    ネジ
６４    ちょうネジ
１０１  パネル本体
１０１ａ  太陽電池セル
１０１ｂ  電力ケーブル
１０１ｃ，１０１ｄ  仮想線
１０２  金属枠
１０２ａ  支持孔
１０２ｂ  支持領域
２１１，７０４，７５１，８０２，８５１，９０２  アンカーボルト
２１２，２５５，７０７，７５７，８０８，８５２，９０６，９１３，９１４  平ワッシャ
２１３，７０９，７５３，７５４ａ，７５８，８０６，８０７ａ，８１０，８１３，８５４，９０８，９０５，９１１ａ  ナット
２３１，２４１，９０９ａ  載置板部
２３１ａ，２４１ａ，２５３，２６１ｃ，９０９ａ−１  貫通孔
２３２，２４２，９０９ｂ  立板部
２３２ａ，２４２ａ，２６１ａ，２６２ａ，９０９ｂ−１  補強リブ
２３２ａ，２４２ａ，９０９ｂ−２    取付け孔
２３３，２４３，９０９ｃ  支持板部
２３３ａ，２４３ａ  凹部
２３３ｂ，２４３ｂ，９０９ｃ−１，９５１ａ−２  突起部
２３３ｃ，２４３ｃ，９０９ｃ−２，９５１ａ−３  ボルト穴
２５１    挿入突起
２５２，２６１ｂ    帯状領域
２５２ａ    バーリング孔
２５２ａ−１，２６１ｂ−２    バリ
２５４    ボルト
２５６，７０８，７５２，７５５，８０５，８０９，８１２，８５３，９０７，９１２    バネワッシャ
２６１    上面部分
２６１ｂ−１    面取り
２６２    側面部分
５１１，６１１    棒部材
５１１ａ，６２１  位置決め孔
６２２    ネジタップ
５１１ｂ  取付け孔
５２１    取付け突起
７０１    設置台
７０２    本体部
７０２ａ  ネジ部
７０３    台座部
７０５ａ  ブチルゴムシート
７０５ｂ  金属板
７０６    固定用ボルト
７５４，８０７，９１１    ダブルナット
８０１    支持レール
８０３    固定ボルト
８０３ａ  ボルト頭
９０１    長基礎
９０３    溝部
９５１    平板部
Ａ１１，Ａ７０１，Ａ８５１，Ａ９５１    陸屋根
Ａ９０１  大地
Ｄ１１，Ｄ１２，Ｄ８０１    配列方向
Ｄ１３    傾斜方向
Ｄ１４，Ｄ１５，Ｄ１６，Ｄ２１    矢印
Ｈ１，Ｈ２，Ｈ７０１，Ｈ７５１，Ｈ８０１，Ｈ９０１    高さ
【図１】
2019004683.tif 000003
【図２】
2019004683.tif 000004
【図３】
2019004683.tif 000005
【図４】
2019004683.tif 000006
【図５】
2019004683.tif 000007
【図６】
2019004683.tif 000008
【図７】
2019004683.tif 000009
【図８】
2019004683.tif 000010
【図９】
2019004683.tif 000011
【図１０】
2019004683.tif 000012
【図１１】
2019004683.tif 000013
【図１２】
2019004683.tif 000014
【図１３】
2019004683.tif 000015
【図１４】
2019004683.tif 000016
【図１５】
2019004683.tif 000017
【図１６】
2019004683.tif 000018
【図１７】
2019004683.tif 000019
【図１８】
2019004683.tif 000020
【図１９】
2019004683.tif 000021
【図２０】
2019004683.tif 000022
【図２１】
2019004683.tif 000023
【図２２】
2019004683.tif 000024
【図２３】
2019004683.tif 000025
【図２４】
2019004683.tif 000026
【図２５】
2019004683.tif 000027
【図２６】
2019004683.tif 000028
【図２７】
2019004683.tif 000029
【図２８】
2019004683.tif 000030
【図２９】
2019004683.tif 000031
【図３０】
2019004683.tif 000032
【図３１】
2019004683.tif 000033
【図３２】
2019004683.tif 000034
【図３３】
2019004683.tif 000035
【図３４】
2019004683.tif 000036
【図３５】
2019004683.tif 000037
【図３６】
2019004683.tif 000038
【図３７】
2019004683.tif 000039
【図３８】
2019004683.tif 000040